(57)【要約】【課題】ユーザにとって有益な情報を提供する。【解決手段】本願にかかる配信装置は、取得部と、抽出部と、配信部とを有する。取得部は、ユーザの現在位置を示す位置情報を取得する。抽出部は、取得部により取得された位置情報に関連するコンテンツであって現在時期に関連するコンテンツである第１のコンテンツを抽出する。配信部は、抽出部により抽出された第１のコンテンツをユーザに配信する。【選択図】図３
2018046528.tif 000002
【特許請求の範囲】
【請求項１】
ユーザの現在位置を示す位置情報を取得する取得部と、
前記取得部により取得された位置情報に関連するコンテンツであって現在時期に関連するコンテンツである第１のコンテンツを抽出する抽出部と、
前記抽出部により抽出された第１のコンテンツを前記ユーザに配信する配信部と
を有することを特徴とする配信装置。
【請求項２】
前記抽出部は、過去において現在時期と同時期に起こった事柄に対する注目度に基づいて、前記第１のコンテンツを抽出する
ことを特徴とする請求項１に記載の配信装置。
【請求項３】
前記抽出部は、前記注目度として過去において現在時期と同時期に使用された検索クエリの使用頻度に基づき特定された検索クエリに対応する前記第１のコンテンツを抽出する
ことを特徴とする請求項２に記載の配信装置。
【請求項４】
前記配信部は、前記第１のコンテンツが抽出される際に用いられた検索クエリの使用頻度に基づく並び順で、前記抽出部により抽出された前記第１のコンテンツが一覧表示されるように配信する
ことを特徴とする請求項３に記載の配信装置。
【請求項５】
前記抽出部は、前記注目度として、過去において現在時期と同時期にインターネット上で使用されたキーワードの使用頻度に基づき特定されたキーワードに対応する前記第１のコンテンツを抽出する
ことを特徴とする請求項２〜４のいずれか１つに記載の配信装置。
【請求項６】
前記配信部は、前記第１のコンテンツが抽出される際に用いられたキーワードの使用頻度に基づく並び順で、前記抽出部により抽出された前記第１のコンテンツが一覧表示されるように配信する
ことを特徴とする請求項５に記載の配信装置。
【請求項７】
前記抽出部は、キーワードであって当該キーワードに関連する時期を示す時期情報が対応付けられたキーワードのうち、現在時期を示す時期情報が対応付けられたキーワードに関連する第１のコンテンツを抽出する
ことを特徴とする請求項１〜６のいずれか１つに記載の配信装置。
【請求項８】
前記ユーザの現在位置周辺の周辺状況を特定する特定部をさらに有し、
前記抽出部は、前記特定部により特定された周辺状況に応じた前記第１のコンテンツを抽出する
ことを特徴とする請求項１〜７のいずれか１つに記載の配信装置。
【請求項９】
前記特定部は、前記周辺状況として現在の天候を特定し、
前記抽出部は、前記特定部により特定された現在の天候に応じた前記第１のコンテンツを抽出する
ことを特徴とする請求項８に記載の配信装置。
【請求項１０】
前記特定部は、前記周辺状況として現在の交通状況を特定し、
前記抽出部は、前記特定部により特定された現在の交通状況に応じた前記第１のコンテンツを抽出する
ことを特徴とする請求項８または９に記載の配信装置。
【請求項１１】
前記特定部は、前記周辺状況として現在時刻を特定し、
前記抽出部は、前記特定部により特定された現在時刻に応じた前記第１のコンテンツを抽出する
ことを特徴とする請求項８〜１０のいずれか１つに記載の配信装置。
【請求項１２】
前記抽出部は、前記ユーザに配信された第１のコンテンツに対する評価結果であって、当該第１のコンテンツによって示される場所に前記ユーザが訪問したか否かに応じて評価された評価結果に基づいて、前記取得部により取得された位置情報に関連するコンテンツである第１のコンテンツを抽出する
ことを特徴とする請求項１〜１１のいずれか１つに記載の配信装置。
【請求項１３】
前記ユーザに配信された第１のコンテンツのうち前記ユーザによって所定の登録処理が行われた第１のコンテンツが示す場所の近辺に、前記ユーザが位置した場合に、前記ユーザに所定の通知を行う通知部をさらに有する
ことを特徴とする請求項１〜１２のいずれか１つに記載の配信装置。
【請求項１４】
前記抽出部は、前記第１のコンテンツとともに表示されるコンテンツであって現在時期に関連するコンテンツである第２のコンテンツを抽出し、
前記配信部は、前記第２のコンテンツが前記第１のコンテンツとともに表示されるように配信する
ことを特徴とする請求項１〜１３のいずれか１つに記載の配信装置。
【請求項１５】
前記配信部は、前記第２のコンテンツがユーザに選択された場合に、前記第２のコンテンツに関連するコンテンツであって当該ユーザの現在位置に関連する情報を含むコンテンツである関連コンテンツを配信する
ことを特徴とする請求項１４に記載の配信装置。
【請求項１６】
コンピュータが実行する配信方法であって、
ユーザの現在位置を示す位置情報を取得する取得工程と、
前記取得工程により取得された位置情報に関連するコンテンツであって現在時期に関連するコンテンツである第１のコンテンツを抽出する抽出工程と、
前記抽出工程により抽出された第１のコンテンツを前記ユーザに配信する配信工程と
を含んだことを特徴とする配信方法。
【請求項１７】
ユーザの現在位置を示す位置情報を取得する取得手順と、
前記取得手順により取得された位置情報に関連するコンテンツであって現在時期に関連するコンテンツである第１のコンテンツを抽出する抽出手順と、
前記抽出手順により抽出された第１のコンテンツを前記ユーザに配信する配信手順と
をコンピュータに実行させることを特徴とする配信プログラム。
【発明の詳細な説明】
【技術分野】
【０００１】
本発明は、配信装置、配信方法および配信プログラムに関する。
【背景技術】
【０００２】
近年、インターネットの飛躍的な普及に伴い、インターネットを介した情報提供が盛んに行われている。例えば、ユーザの位置情報に基づいてコンテンツを決定し、決定したコンテンツをかかるユーザの端末装置に配信する技術が提案されている。
【先行技術文献】
【特許文献】
【０００３】
【特許文献１】特開２００８−２５２６９２号公報
【発明の概要】
【発明が解決しようとする課題】
【０００４】
しかし、上記の従来技術では、ユーザにとって有益な情報を提供することができるとは限らない。例えば、上記の従来技術では、コンテンツ配信サーバが、ユーザによって利用される無線端末の現在位置情報を受信し、受信した現在位置情報に対応するコンテンツを無線端末に送信するが、このように位置情報を用いるだけではユーザにとって有益な情報を提供することができるとは限らない。
【０００５】
本願は、上記に鑑みてなされたものであって、ユーザにとって有益な情報を提供することができる配信装置、配信方法および配信プログラムを提供することを目的とする。
【課題を解決するための手段】
【０００６】
本願にかかる配信装置は、ユーザの現在位置を示す位置情報を取得する取得部と、前記取得部により取得された位置情報に関連するコンテンツであって現在時期に関連するコンテンツである第１のコンテンツを抽出する抽出部と、前記抽出部により抽出された第１のコンテンツを前記ユーザに配信する配信部とを有することを特徴とする。
【発明の効果】
【０００７】
実施形態の一態様によれば、ユーザにとって有益な情報を提供することができるといった効果を奏する。
【図面の簡単な説明】
【０００８】
【図１】図１は、第１の実施形態にかかる配信処理の一例を示す図である。
【図２】図２は、時期コンテンツおよびエリアコンテンツとから生成されるウェブページの一例を示す図である。
【図３】図３は、第１の実施形態にかかる配信装置の構成例を示す図である。
【図４】図４は、第１の実施形態にかかる検索クエリ記憶部の一例を示す図である。
【図５】図５は、第１の実施形態にかかる時期コンテンツ記憶部の一例を示す図である。
【図６】図６は、第１の実施形態にかかるエリアコンテンツ記憶部の一例を示す図である。
【図７】図７は、第１の実施形態にかかる配信装置による配信処理手順を示すフローチャートである。
【図８】図８は、第２の実施形態にかかる配信装置の構成例を示す図である。
【図９】図９は、周辺状況に応じたエリアコンテンツの一例を示す図（１）である。
【図１０】図１０は、周辺状況に応じたエリアコンテンツの一例を示す図（２）である。
【図１１】図１１は、時期コンテンツが選択された場合に配信されるコンテンツについて説明する説明図である。
【図１２】図１２は、配信装置の機能を実現するコンピュータの一例を示すハードウェア構成図である。
【発明を実施するための形態】
【０００９】
以下に、本願にかかる配信装置、配信方法および配信プログラムを実施するための形態（以下、「実施形態」と呼ぶ）について、図面を参照しつつ詳細に説明する。なお、この実施形態により本願にかかる配信装置、配信方法および配信プログラムが限定されるものではない。
【００１０】
（第１の実施形態）
〔１．配信処理〕
まず、図１を用いて、第１の実施形態にかかる配信処理の一例について説明する。図１は、第１の実施形態にかかる配信処理の一例を示す図である。第１の実施形態にかかる配信処理は、図１に示す配信装置１００によって行われる。
【００１１】
図１に示す配信システム１には、端末装置１０と、配信装置１００とが含まれる。端末装置１０と、配信装置１００とは、ネットワークを介して、有線または無線により通信可能に接続される。なお、図１に示す配信システム１には、複数台の端末装置１０、複数台の配信装置１００が含まれてもよい。
【００１２】
まず、端末装置１０は、ユーザによって利用される端末装置であり、例えば、スマートフォンや、タブレット型端末や、ノート型ＰＣ（Personal  Computer）や、デスクトップＰＣや、携帯電話機や、ＰＤＡ（Personal  Digital  Assistant）等である。
【００１３】
また、端末装置１０には、所定のアプリケーションが予めインストールされているものとする。以下では、この所定のアプリケーションを「コンテンツアプリ」と表記する。端末装置１０は、コンテンツアプリがインストールされることにより、コンテンツアプリの制御に従って後述する配信装置１００に対してコンテンツ要求を送信する。これにより、端末装置１０は、配信装置１００によって配信された各種コンテンツを表示画面に表示する。
【００１４】
配信装置１００は、ユーザの現在位置に関連するコンテンツであって現在時期に関連するコンテンツを抽出し、抽出したコンテンツを端末装置１０に配信する。具体的には、配信装置１００は、端末装置１０からコンテンツ要求を受け付けると、かかる端末装置１０の現在位置を示す位置情報を取得する。そして、配信装置１００は、取得した位置情報が示す位置から所定範囲内にある位置に関連するコンテンツであって現在時期に関連するコンテンツであるエリアコンテンツ（第１のコンテンツの一例）を抽出する。
【００１５】
また、配信装置１００は、エリアコンテンツとともに端末装置１０に表示させるコンテンツであって現在時期に関連するコンテンツである時期コンテンツ（第２のコンテンツの一例）を抽出する。そして、配信装置１００は、抽出した時期コンテンツとエリアコンテンツとを組み合わせて１つのウェブページを生成し、生成したウェブページを端末装置１０に配信する。なお、本実施形態では、「ユーザの現在位置」および「端末装置１０の現在位置」を使い分けて用いる場合があるが、これらはともに同義である。以下では、配信装置１００による配信処理についてより詳細に説明する。
【００１６】
まず、配信装置１００が有する各種記憶部について説明する。まず、検索クエリ記憶部１２１について説明する。検索クエリ記憶部１２１は、所定のウェブサイトにおいてこれまでに使用（入力）された検索クエリ（検索クエリログ）を記憶する記憶部である。図１では、検索クエリ記憶部１２１は、日付毎に集計された各検索クエリの使用回数を検索クエリログとして記憶する例を示す。例えば、図１に示す検索クエリ記憶部１２１では、「２０１５年０８月０１日」において検索クエリ「プール」が、所定のウェブサイトにおいて「５，０５０回」使用された例を示す。
【００１７】
なお、図１の例では、説明の便宜上「２０１５年８月」に焦点を当てた検索クエリログを示すが、検索クエリ記憶部１２１は、２０１５年より以前（２０１４年、２０１３年・・・・）の検索クエリログも記憶してよいものである。
【００１８】
次に、時期コンテンツ記憶部１２２について説明する。時期コンテンツ記憶部１２２は、例えば、季節毎に起こる当該季節を代表するようなイベントを特集した記事を時期コンテンツとして記憶する記憶部である。一例を示すと、「日本各地のアジサイ見どころ特集」、「紅葉ドライブ特集」といった記事をまとめたコンテンツが時期コンテンツである。このような記事コンテンツは、毎年内容が大きく変わることがないため、毎年対応する時期（例えば、「日本各地のアジサイ見どころ特集」だと６月）に使い回しが可能であるものが多い。
【００１９】
なお、時期コンテンツは、後述するウェブページＷ１の上半分を占めるコンテンツであり、例えば、「どこかに出かけたい」といった漠然とした外出意欲を高めさせるための抽象的な概念コンテンツである。
【００２０】
そして、時期コンテンツ記憶部１２２には、図１に示すように、「特徴キーワード」と「時期コンテンツ」とが対応付けて記憶される。「特徴キーワード」は、時期コンテンツを特徴付けるキーワードであってエリアコンテンツが示す内容から連想される時期に関するキーワードである。かかる時期は、例えば、月歴、季節、所定のイベントが行われる期間、クーポン使用可能期間等である。
【００２１】
例えば、時期コンテンツＣ１１は、「日本各地のアジサイ見どころ特集」を記事としてまとめられたコンテンツであるとすると、このような時期コンテンツＣ１８からは、例えば図１に示すように特徴キーワード「アジサイ」が抽出される。「アジサイ」は、「６月」を代表するキーワードであるため、時期に関するキーワードといえる。なお、本実施形態では、配信装置１００が、時期コンテンツの入稿を受け付けた際に、時期コンテンツを解析し、特徴キーワードを抽出するものとする。
【００２２】
しかしながら、例えば、配信装置１００は、時期コンテンツを解析することにより独自に特徴キーワードを特定してもよい。また、配信装置１００は、時期コンテンツを入稿する入稿者に対して、特徴キーワードを指定するよう指示してもよい。また、配信装置１００の管理者によって手作業で特徴キーワードの抽出が行われてもよい。
【００２３】
次に、エリアコンテンツ記憶部１２３について説明する。エリアコンテンツ記憶部１２３は、例えば、特定の事柄をピンポイントに紹介、あるいは、提案するコンテンツであってユーザの現在位置および現在時期とのマッチング対象となるコンテンツであるエリアコンテンツを記憶する。一例を示すと、「六本木で人気のフランス料理店○○」といったお店紹介記事がエリアコンテンツである。
【００２４】
なお、エリアコンテンツは、後述するウェブページＷ１の下半分を占めるコンテンツであり、時期コンテンツによって外出意欲を高められたユーザに対し、より具体的な情報（例えば、近くのお出かけ先情報）を提示するための具体化コンテンツである。
【００２５】
そして、エリアコンテンツ記憶部１２３には、図１に示すように、「位置情報」と、「対応時期」と、「特徴キーワード」と、「エリアコンテンツ」とが対応付けて記憶される。「位置情報」は、対応する「エリアコンテンツ」に関連する位置情報を示す。例えば、「位置情報」は、対応する「エリアコンテンツ」によって紹介される施設の所在地、あるいは、その施設周辺の位置情報を示す。例えば、エリアコンテンツＣ３３は、「六本木からすぐに行くことができる花火大会会場」を紹介する記事であるとすると、その花火大会会場の「所在地」や「六本木」が位置情報として記憶される。
【００２６】
「対応時期」は、対応する「エリアコンテンツ」の内容に適した時期を示す。上記の通り、エリアコンテンツＣ３３は、花火大会に関する記事がまとめられたコンテンツであるため、エリアコンテンツＣ３３には、「対応時期」として、例えば、「８月」が記憶される。なお、対応時期として記憶される時期は、月歴以外にも、季節や期間等であってもよい。例えば、エリアコンテンツは、所定期間利用可能クーポンを含むお店紹介といったものもあり、かかる場合、この所定期間が「対応時期」として記憶されてもよい。
【００２７】
なお、本実施形態では、配信装置１００が、エリアコンテンツ解析することにより、エリアコンテンツから対応時期を抽出、あるいは、エリアコンテンツの内容から対応時期を独自に特定するものとする。しかしながら、例えば、配信装置１００の管理者によって手作業で対応時期の抽出や特定が行われてもよい。
【００２８】
「特徴キーワード」は、エリアコンテンツを特徴付けるキーワードであってエリアコンテンツが示す内容から連想される時期に関するキーワードである。かかる時期は、例えば、月歴、季節、所定のイベントが行われる期間、クーポン使用可能期間等である。
【００２９】
上記の通り、エリアコンテンツＣ３１は、花火大会に関する記事がまとめられたコンテンツであるため、このような時期コンテンツＣ３１からは、例えば図１に示すように特徴キーワード「花火大会」が抽出される。「花火大会」は、「８月」を代表するキーワードであるため、時期に関するキーワードといえる。
【００３０】
なお、本実施形態では、配信装置１００が、エリアコンテンツ解析することにより、エリアコンテンツから特徴キーワードを抽出、あるいは、エリアコンテンツの内容から特徴キーワードを独自に特定するものとする。しかしながら、例えば、配信装置１００の管理者によって手作業で特徴キーワードの抽出や特定が行われてもよい。
【００３１】
さて、ここまで図１を用いて、配信装置１００が有する各記憶部について説明した。次に、配信処理の流れについて一例を用いて説明する。まず、ユーザＵ１が端末装置１０を用いてコンテンツアプリを起動したものとする。かかる場合、端末装置１００は、自装置の現在位置（ユーザＵ１の現在位置）を示す位置情報として現在位置情報「六本木」を含むコンテンツ要求を配信装置１００に送信する（ステップＳ１）。これにより、配信装置１００は、端末装置１０からコンテンツ要求とともに、端末装置１０の現在位置情報を取得する。なお、端末装置１００は、例えば、ＧＰＳ機能を用いて現在位置を取得する。
【００３２】
そして、配信装置１００は、現在位置情報を含むコンテンツ要求を取得すると、検索クエリ記憶部１２１を参照し、過去において現在時期と同時期に起こった事柄を特定する。ここで、例えば、ユーザは、現在話題になっている事柄（各種のイベント等）や、現在時期に関連する検索クエリを用いることが自然と多くなる傾向があると考えられる。このため、過去において現在時期と同時期に起こった事柄を、過去において現在時期と同時期に使用された検索クエリと解することができる。したがって、配信装置１００は、過去において現在時期と同時期に使用された検索クエリを特定する。具体的には、配信装置１００は、検索クエリ記憶部１２１を参照し、過去において現在時期と同時期に使用された検索クエリであって現在時期に関連する（現在時期を特徴付ける）検索クエリを特定する（ステップＳ２）。
【００３３】
また、配信装置１００は、特定した検索クエリそれぞれの使用頻度に基づいて、所定数の検索クエリを絞り込む（ステップＳ３）。例えば、配信装置１００は、特定した検索クエリの中から最も使用頻度の高い検索クエリを絞り込む。ステップＳ２およびＳ３について一例を用いて説明する。
【００３４】
例えば、配信装置１００が端末装置１００からコンテンツ要求を取得したのが「２０１６年０８月１０日」であったものとする。かかる場合、配信装置１００は、検索クエリ記憶部１２１を参照し、まず、１年前である「２０１５年８月（例えば、８月１日〜８月３１日まで）」に使用された検索クエリであって「８月」という時期を特徴付ける検索クエリを特定する。例えば、配信装置１００は、このような時期に関連する検索クエリとして、「プール」、「ビアガーデン」、「花火大会」、「虫よけ」を特定したものとする。次に、配信装置１００は、特定したこれらの検索クエリそれぞれの「８月」における使用頻度、すなわち「使用回数」に基づいて、検索クエリを絞り込む。
【００３５】
ここで、検索クエリ「プール」、「ビアガーデン」、「花火大会」、「虫よけ」の中で使用回数が多い上位の検索クエリが、「プール」、「ビアガーデン」、「花火大会」であったものとする。かかる場合、配信装置１００は、検索クエリ「プール」、「ビアガーデン」、「花火大会」、「虫よけ」の中から、「８月」に使用開始の多かった上位３つの検索クエリ「プール」、「ビアガーデン」、「花火大会」を抽出することにより、検索クエリを絞り込む。なお、このように絞り込まれる検索クエリの数は、３つに限定されるものではない。例えば、配信装置１００は、１つの検索クエリ、具体的には、最も使用頻度の高い検索クエリを抽出してもよい。
【００３６】
また、配信装置１００が、１年前の検索クエリの実績から検索クエリの絞り込みを行う例を示したが、例えば、配信装置１００は、過去数年分の検索クエリの実績から検索クエリの絞り込みを行ってもよい。
【００３７】
そして、このように、現在時期に関連し、かつ、使用頻度のより高い検索クエリは、現在時期において多くのユーザが興味関心のある事柄を示しているといえる。また、過去における検索クエリの実績から絞り込みを行うのは、実績の揃い切っていない現在（２０１６年８月）の検索クエリに注目するよりも、精度よく現在時期に関連し、かつ、使用頻度のより高い検索クエリを絞り込むことができるためである。
【００３８】
次に、配信装置１００は、時期コンテンツ記憶部１２２を参照し、現在時期に関連する時期コンテンツを抽出する（ステップＳ４）。具体的には、配信装置１００は、ステップＳ３で絞り込んだ検索クエリ「プール」、「ビアガーデン」、「花火大会」の少なくとも何れか１つに合致する特徴キーワードが対応付けられる時期コンテンツを１つ抽出する。図１の例では、配信装置１００は、時期コンテンツ記憶部１２２を参照し、検索クエリ「花火大会」に一致する特徴キーワードが対応付けられる時期コンテンツＣ１２を抽出する。
【００３９】
次に、配信装置１００は、エリアコンテンツ記憶部１２３を参照し、端末装置１０の現在位置「六本木」から所定範囲内にある位置に関連するエリアコンテンツであって現在時期に関連するエリアコンテンツを抽出する（ステップＳ５）。本実施形態では、配信装置１００は、３つのエリアコンテンツを抽出するものとするが、抽出されるエリアコンテンツの数は３つに限定されるものではない。
【００４０】
つまり、配信装置１００は、「現在位置から所定範囲内にある位置」および「現在時期」を用いて、エリアコンテンツ記憶部１２３に記憶される各エリアコンテンツとマッチングを行い、「現在位置から所定範囲内にある位置」および「現在時期」の双方を満たすようなエリアコンテンツを抽出する。
【００４１】
ここで、配信装置１００は、現在時期に関連するエリアコンテンツが抽出できるように、「現在時期」でのマッチングとしてステップＳ３で絞り込んだ検索クエリ「プール」、「ビアガーデン」、「花火大会」を用いる。具体的には、配信装置１００は、ステップＳ３で絞り込んだ検索クエリ「プール」、「ビアガーデン」、「花火大会」それぞれに合致する特徴キーワードが対応付けられるエリアコンテンツであって、現在位置「六本木」から所定範囲内にある位置に関連するエリアコンテンツを抽出する。つまり、配信装置１００は、過去において現在時期と同時期に頻繁に使用された検索クエリに関連するエリアコンテンツであって、ユーザの現在位置から所定範囲内にある位置に関連するエリアコンテンツを抽出する。
【００４２】
図１の例では、配信装置１００は、検索クエリ「プール」、「ビアガーデン」、「花火大会」それぞれに一致する特徴キーワードが対応付けられ、かつ、現在位置「六本木」から所定範囲内の位置を示す位置情報が対応付けられる時期コンテンツＣ３１〜Ｃ３３を抽出する。
【００４３】
次に、配信装置１００は、ステップＳ４で抽出した時期コンテンツＣ１２、ステップＳ５で抽出したエリアコンテンツＣ３１〜Ｃ３３が表示されるような１つのウェブページＷ１を生成する（ステップＳ６）。例えば、配信装置１００は、時期コンテンツＣ１２およびエリアコンテンツＣ３１〜Ｃ３３を組み合わせてウェブページＷ１を生成する。
【００４４】
ここで、図２は、時期コンテンツおよびエリアコンテンツとから生成されるウェブページＷ１の一例を示す図である。図２に示すように、配信装置１００は、ウェブページＷ１の上半分の領域である領域Ｒ１に時期コンテンツＣ１２が表示され、下半分の領域である領域Ｒ２にエリアコンテンツＣ３１〜Ｃ３３が表示されるようなウェブページＷ１を生成する。さらに詳細に説明すると、配信装置１００は、領域Ｒ２に含まれる領域のうち最上部の領域Ｒ２１には現在地（かかる例では、「六本木」）、２番目の領域Ｒ２２には現在日時、現在の天気、ナビアプリおよび路線アプリを起動させるためのボタン、３番目の領域Ｒ２３にはエリアコンテンツＣ３１〜Ｃ３３が表示されるようなウェブページＷ１を生成する。
【００４５】
図２に示すように、エリアコンテンツＣ３１〜Ｃ３３は、縦方向に一覧表示される。したがって、配信装置１００は、エリアコンテンツＣ３１〜Ｃ３３それぞれの入稿日時に基づいて、エリアコンテンツＣ３１〜Ｃ３３を並べる。例えば、配信装置１００は、入稿日時が新しいエリアコンテンツほど、より上部に表示させる。図２では、配信装置１００が、入稿日時の最も新しいエリアコンテンツＣ３２を一番上に、次に入稿日時の新しいエリアコンテンツＣ３３を２番目に、最後に入稿日時のエリアコンテンツＣ３１が一番下に表示されるようなウェブページＷ１を作成した例を示す。
【００４６】
また、領域Ｒ２１において現在位置情報「六本木」の右横に表示されるプルダウンＢＴ１は、ユーザに位置情報を選択させるためのものである。例えば、プルダウンＢＴ１が押下された場合、４７都道府県が一覧表示される。また、４５都道府県のうち、特定の地域が選択されると、その地域における代表地域がさらに一覧表示される。例えば、一覧表示された４５都道府県から東京都が選択された場合、「渋谷、六本木、目黒、新宿」といった東京都内の代表都市がさらに一覧表示される。
【００４７】
ここで、例えば、「目黒」が選択された場合、配信装置１００は、領域Ｒ２１における現在位置情報「六本木」から、選択位置情報「目黒」へと変更する。また、このようにプルダウンＢＴ１を用いて位置情報が選択された場合、配信装置１００は、選択された位置情報に関連するエリアコンテンツであって現在時期に関連するエリアコンテンツを抽出し直し、現在表示しているエリアコンテンツから抽出し直したエリアコンテンツへと変更する。
【００４８】
また、領域Ｒ２１においてプルダウンＢＴ１の右横に表示される星マークボタンＢ２は、領域Ｒ２３に表示されるエリアコンテンツのうち任意のエリアコンテンツを「お気に入り登録」させるためのボタンである。
【００４９】
さて、配信装置１００は、図２に示すウェブページＷ１を生成すると、生成したウェブページＷ１をコンテンツ要求送信元の端末装置１０に配信する（ステップＳ７）。そして、端末装置１００は、受け付けたウェブページＷ１を表示画面に表示する。このため、図２に示すウェブページＷ１は、端末装置１０の表示画面に表示された場合の態様を示すものでもある。
【００５０】
以上、図１を用いて説明してきたように、第１の実施形態にかかる配信装置１００は、現在時期に関連する時期コンテンツを抽出する。また、配信装置１００は、ユーザの現在位置を示す位置情報を取得し、取得した現在位置から所定範囲内にある位置に関連するコンテンツであって現在時期に関連するエリアコンテンツを抽出する。そして、配信装置１００は、上部に時期コンテンツが表示され、下部にエリアコンテンツが一覧表示されるようなウェブページを生成し、生成したウェブページを配信する。
【００５１】
ここで、時期コンテンツは、ユーザの現在位置が考慮されず、現在時期を漠然と象徴付けるコンテンツといえる。一方、エリアコンテンツは、ユーザの現在位置が強く反映された、かつ、現在時期にも対応したコンテンツといえる。したがって、上部に大きく表示される時期コンテンツによって、ユーザは「なんとなく出かけてみたい」といった外出意欲を湧きたてられる。このようなユーザは、下方に目を移すことで、エリアコンテンツによって自分の現在位置に関連する情報（身近な情報といえる）であって、かつ、タイムリーな情報が紹介されていることにより、実際にその場所に行ってみたり、イベントに参加してみようというより強い外出意欲が湧きたてられる。
【００５２】
したがって、第１の実施形態にかかる配信装置１００は、時期コンテンツとエリアコンテンツとを用いて、ユーザに対して外出意欲を高めることができる。すなわち、第１の実施形態にかかる配信装置１００は、ユーザにとって有益な情報を提供することができるといえる。また、第１の実施形態にかかる配信装置１００は、時期コンテンツとエリアコンテンツで紹介している事柄（例えば、観光地、お店、イベント等）へ効果的にユーザを誘導することができるため、この事柄に対する売上に貢献することができる。
【００５３】
〔２．配信装置の構成〕
次に、図３を用いて、第１の実施形態にかかる配信装置１００について説明する。図３は、第１の実施形態にかかる配信装置１００の構成例を示す図である。図３に示すように、第１の実施形態にかかる配信装置１００は、通信部１１０と、記憶部１２０と、制御部１３０とを有する。
【００５４】
（通信部１１０について）
通信部１１０は、例えば、ＮＩＣ（Network  Interface  Card）等によって実現される。そして、通信部１１０は、ネットワークと有線または無線で接続され、例えば、端末装置１０との間で情報の送受信を行う。
【００５５】
（記憶部１２０について）
記憶部１２０は、例えば、ＲＡＭ（Random  Access  Memory)、フラッシュメモリ等の半導体メモリ素子またはハードディスク、光ディスク等の記憶装置によって実現される。記憶部１２０は、検索クエリ記憶部１２１と、時期コンテンツ記憶部１２２と、エリアコンテンツ記憶部１２３とを有する。
【００５６】
（検索クエリ記憶部１２１）
図１で説明したように、検索クエリ記憶部１２１は、所定のウェブサイトにおいてこれまでに使用（入力）された検索クエリ（検索クエリログ）を記憶する記憶部である。ここで、図４に第１の実施形態にかかる検索クエリ記憶部１２１の一例を示す。図４の例では、検索クエリ記憶部１２１は、「年」、「月日」、「検索クエリ」、「使用回数」といった項目を有する。
【００５７】
「年」は、対応する検索クエリが使用された年を示す。「月日」は、対応する検索クエリが使用された月と日付を示す。「検索クエリ」は、対応する「年」および「月日」において使用された検索クエリを示す。「使用回数」は、対応する「年」および「月日」において検索クエリが使用された使用回数を示す。
【００５８】
したがって、検索クエリ記憶部１２１は、日付毎に集計された各検索クエリの使用回数を検索クエリログとして記憶する記憶部である。すなわち、図４の例では、「２０１５年０８月０１日」において検索クエリ「プロ野球」が、所定のウェブサイトにおいて「１，０５０回」使用された例を示す。
【００５９】
（時期コンテンツ記憶部１２２について）
図１で説明したように、時期コンテンツ記憶部１２２は、例えば、季節毎に起こる当該季節を代表するようなイベントを特集した記事をまとめたコンテンツである時期コンテンツを記憶する記憶部である。ここで、図５に第１の実施形態にかかる時期コンテンツ１２２の一例を示す。図５の例では、時期コンテンツ記憶部１２２は、「位置情報」、「特徴キーワード」、「時期コンテンツ」、「第１遷移先」、「第２遷移先」、「入稿日」といった項目を有する。
【００６０】
「位置情報」は、対応する「時期コンテンツ」に関連する位置情報を示す。例えば、「位置情報」は、対応する「時期コンテンツ」によって紹介される事柄（例えば、観光地、イベント等）に対応する位置情報（例えば、観光地の住所）を示す。例えば、時期コンテンツＣ１１は、「日本各地のアジサイ見どころ特集」を記事としてまとめられたものであって、その日本各地が「鎌倉、箱根、埼玉」であったとする。かかる場合、時期コンテンツＣ１１に対応する「位置情報」には位置情報「鎌倉、箱根、埼玉」が記憶される。
【００６１】
なお、例えば、後述する第１受付部１３１は、時期コンテンツの入稿を受け付けた際に、受け付けた時期コンテンツを解析し、位置情報を抽出し、その位置情報を時期コンテンツに対応付けて時期コンテンツ記憶部１２２に格納する。
【００６２】
「特徴キーワード」は、対応する時期コンテンツを特徴付けるキーワードを示す。例えば、上記のように時期コンテンツＣ１１が、アジサイ特集である場合、時期コンテンツＣ１１に対応する「特徴キーワード」には特徴キーワード「アジサイ」が記憶される。
【００６３】
なお、例えば、後述する第１受付部は、時期コンテンツの入稿を受け付けた際に、受け付けた時期コンテンツを解析し、特徴キーワードを抽出し、その特徴キーワードを時期コンテンツに対応付けて時期コンテンツ記憶部１２２に格納する。
【００６４】
「時期コンテンツ」は、入稿された時期コンテンツのデータを示す。図５では、時期コンテンツＣ１１といったように、時期コンテンツを概念的な記号で示しているが、実際には、時期コンテンツは、テキストや画像等から構成される。
【００６５】
「第１遷移先」は、対応する時期コンテンツが選択された場合に、遷移される遷移先のコンテンツである「第１コンテンツ」とそのＵＲＬである「第１ＵＲＬ」を示す。図５では、例えば、時期コンテンツＣ１１には、「第１遷移先」として第１ＵＲＬ「Ｕ１１−１」、第１コンテンツ「Ｃ１１−１」が対応付けられている。これは、時期コンテンツＣ１１が選択（ユーザによるタッチ操作等）された場合に、時期コンテンツＣ１１から、第１ＵＲＬ「Ｕ１１−１」に対応する第１コンテンツ「Ｃ１１−１」へ遷移されることを示す。
【００６６】
「第２遷移先」は、対応する「第１コンテンツ」が選択された場合に、遷移される遷移先のコンテンツである「第２コンテンツ」とそのＵＲＬである「第２ＵＲＬ」を示す。図５では、例えば、第１コンテンツＣ１１−１には、「第２遷移先」として第２ＵＲＬ「Ｕ１１−１−１」、第２コンテンツ「Ｃ１１−１−１」が対応付けられている。これは、第１コンテンツＣ１１−１が選択された場合に、第１コンテンツＣ１１−１から、第２ＵＲＬ「Ｕ１１−１−１」に対応する第２コンテンツ「Ｃ１１−１−１」へ遷移されることを示す。「入稿日」は、対応する時期コンテンツが入稿された年月日を示す。
【００６７】
（エリアコンテンツ記憶部１２３について）
図１で説明したように、エリアコンテンツ記憶部１２３は、例えば、特定の事柄をピンポイントに紹介、あるいは、提案するコンテンツであってユーザの現在位置および現在時期とのマッチングに用いられるコンテンツであるエリアコンテンツを記憶する。ここで、図６に第１の実施形態にかかるエリアコンテンツ記憶部１２３の一例を示す。図６の例では、時期コンテンツ記憶部１２３は、「位置情報」、「対応時期」、「特徴キーワード」、「エリアコンテンツ」、「遷移先」、「入稿日」、「お気に入り登録数」といった項目を有する。
【００６８】
「位置情報」は、対応する「エリアコンテンツ」に関連する位置情報を示す。例えば、「位置情報」は、対応する「エリアコンテンツ」によって紹介される施設の所在地、あるいは、その施設周辺の位置情報を示す。例えば、エリアコンテンツＣ３３は、「六本木からすぐに行くことができる花火大会会場」を紹介する記事であるが、その花火大会会場の「所在地」や「六本木」が位置情報として記憶される。
【００６９】
「対応時期」は、対応する「エリアコンテンツ」の内容に適した時期、あるいは、対応する「エリアコンテンツ」を特徴づける時期を示す。上記の通り、エリアコンテンツＣ３３は、花火大会に関する記事がまとめられたコンテンツであるため、エリアコンテンツＣ３３には、「対応時期」として、例えば、「８月」が記憶される。なお、対応時期として記憶される時期は、月歴以外にも、季節や期間等であってもよい。例えば、エリアコンテンツは、所定期間利用可能クーポンを含むお店紹介といったものもあり、かかる場合、この所定期間が「対応時期」として記憶されてもよい。
【００７０】
また、例えば、後述する第２受付部１３２は、エリアコンテンツの入稿を受け付けた際に、受け付けたエリアコンテンツを解析し、位置情報および対応時期を抽出し、抽出した位置情報および対応時期をエリアコンテンツに対応付けてエリアコンテンツ記憶部１２３に格納する。
【００７１】
「特徴キーワード」は、エリアコンテンツを特徴付けるキーワードであってエリアコンテンツが示す内容から連想される時期に関するキーワードである。例えば、後述する第２受付部は、エリアコンテンツの入稿を受け付けた際に、受け付けたエリアコンテンツを解析し、特徴キーワードを抽出し、その特徴キーワードをエリアコンテンツに対応付けてエリアコンテンツ記憶部１２２に格納する。
【００７２】
「エリアコンテンツ」は、入稿されたエリアコンテンツのデータを示す。図６では、エリアコンテンツＣ３１といったように、エリアコンテンツを概念的な記号で示しているが、実際には、エリアコンテンツは、テキストや画像等から構成される。
【００７３】
「遷移先」は、対応するエリアコンテンツが選択された場合に、遷移される遷移先の「コンテンツ」とその「ＵＲＬ」を示す。図６では、例えば、エリアコンテンツＣ３１には、「遷移先」としてＵＲＬ「Ｕ３１−１」、コンテンツ「Ｃ３１−１」が対応付けられている。これは、エリアコンテンツＣ３１が選択された場合に、エリアコンテンツＣ３１から、ＵＲＬ「Ｕ３１−１」に対応するコンテンツ「Ｃ３１−１」へ遷移されることを示す。
【００７４】
「入稿日」は、対応するエリアコンテンツが入稿された年月日を示す。「お気に入り登録数」は、対応するエリアコンテンツをお気に入り登録しているユーザの人数を示す。
【００７５】
（その他の記憶部について）
実施形態にかかる配信装置１００は、ＳＮＳ（Social  Networking  Service）に投稿されるコンテンツ（ＳＮＳコンテンツ）がエリアコンテンツとして抽出されるようにしてもよい。かかる場合、配信装置１００は、例えば、ＳＮＳコンテンツが記憶される記憶部（ＳＮＳコンテンツ記憶部）をさらに有する。例えば、配信装置１００は、所定のＳＮＳを管理するＳＮＳサーバからＳＮＳコンテンツを取得し、取得したＳＮＳコンテンツをＳＮＳコンテンツ記憶部に記憶する。
【００７６】
かかる場合、配信装置１００は、図１で説明したものと同様に、現在時期に関連する検索クエリに一致する特徴キーワードが対応付けられるＳＮＳコンテンツであって現在位置から所定範囲内の位置に関連するＳＮＳコンテンツを、エリアコンテンツとしてＳＮＳコンテンツ記憶部から抽出するといった処理を行う。
【００７７】
（制御部１３０について）
図３に戻り、制御部１３０は、ＣＰＵ（Central  Processing  Unit）やＭＰＵ（Micro  Processing  Unit）等によって、配信装置１００内部の記憶装置に記憶されている各種プログラムがＲＡＭを作業領域として実行されることにより実現される。また、制御部１３０は、例えば、ＡＳＩＣ（Application  Specific  Integrated  Circuit）やＦＰＧＡ（Field  Programmable  Gate  Array）等の集積回路により実現される。
【００７８】
図３に示すように、制御部１３０は、第１受付部１３１と、第２受付部１３２と、取得部１３３と、特定部１３４と、抽出部１３５と、生成部１３６と、配信部１３７とを有し、以下に説明する情報処理の機能や作用を実現または実行する。なお、制御部１３０の内部構成は、図３に示した構成に限られず、後述する情報処理を行う構成であれば他の構成であってもよい。また、制御部１３０が有する各処理部の接続関係は、図３に示した接続関係に限られず、他の接続関係であってもよい。
【００７９】
（第１受付部１３１について）
第１受付部１３１は、例えば、編集者等から時期コンテンツの入稿を受け付ける。また、第１受付部１３１は、図５で説明したように時期コンテンツから遷移される遷移先コンテンツである第１コンテンツや第２コンテンツの入稿も受け付ける。そして、第１受付部１３１は、受け付けたこれらのコンテンツを時期コンテンツ記憶部１２２に格納する。
【００８０】
また、第１受付部１３１は、受け付けた時期コンテンツを解析することにより、「位置情報」や「特徴キーワード」を抽出する。なお、「位置情報」や「特徴キーワード」は入稿元（例えば、編集者）によって指定されてもよいし、配信装置１００の管理者によって人手で抽出されてもよい。
【００８１】
（第２受付部１３２について）
第２受付部１３２は、例えば、編集者等からエリアコンテンツの入稿を受け付ける。また、第２受付部１３２は、図６で説明したようにエリアコンテンツから遷移されるコンテンツの入稿も受け付ける。そして、第２受付部１３２は、受け付けたこれらのコンテンツをエリアコンテンツ記憶部１２３に格納する。
【００８２】
また、第２受付部１３２は、受け付けたエリアコンテンツを解析することにより、「位置情報」や「対応時期」を抽出する。なお、「位置情報」や「対応時期」は入稿元（例えば、編集者）によって指定されてもよいし、配信装置１００の管理者によって人手で抽出されてもよい。
【００８３】
（取得部１３３について）
取得部１３３は、ユーザの現在位置を示す位置情報（現在位置情報）を取得する。例えば、取得部１３３は、端末装置１０から現在位置情報を含むコンテンツ要求を受け付けることにより、当該端末装置の現在位置情報を取得する。なお、取得部１３３は、端末装置１０からコンテンツ要求を受け付けた場合に、端末装置１０に対して現在位置情報を送信するよう要求することで、端末装置１０から現在位置情報を取得してもよい。また、端末装置１０は、コンテンツアプリがインストールされていることにより、例えば、定期的に現在位置情報を取得し、取得した現在位置情報を配信装置１００に送信してもよい。
【００８４】
（特定部１３４について）
特定部１３４は、検索クエリ記憶部１２１を参照し、過去において現在時期と同時期に起こった事柄を特定する。配信装置１００は、過去において現在時期と同時期に使用された検索クエリを特定する。具体的には、特定部１３４は、過去において現在時期と同時期に使用された検索クエリを特定する。例えば、特定部１３４は、検索クエリ記憶部１２１を参照し、過去において現在時期と同時期に使用された検索クエリであって現在時期に関連する（現在時期を特徴付ける）検索クエリを特定する。ここで、現在時期とは、例えば、端末装置１０からコンテンツ要求を受け付けた、まさに現在時期を示す。
【００８５】
また、特定部１３４は、過去において現在時期と同時期に使用された検索クエリであって特定の地域に関連する検索クエリ（地名等）、あるいは、特定のイベントに関連する検索クエリ、あるいは、季節を示す検索クエリを特定してもよい。
【００８６】
なお、特定の地域に関連する検索クエリや、特定のイベントに関連する検索クエリは、現在時期に関連するものが特定されるものが望ましい（例えば、夏といえば地域「湘南」、夏といえばイベント「夏フェス」等）。
【００８７】
また、特定部１３４は、特定した検索クエリそれぞれの使用頻度に基づいて、特定した検索クエリの中から所定数の検索クエリを絞り込む。例えば、特定部１３４は、特定した検索クエリそれぞれの使用頻度に基づいて、特定した検索クエリの中から、より使用頻度の高い検索クエリを所定数抽出するといった検索クエリの絞り込みを行う。
【００８８】
図１の例を用いて、特定部１３４の処理について説明する。まず、「２０１６年０８月１０日」において、取得部１３３が、端末装置１００から現在位置情報を含むコンテンツ要求を取得したとする。かかる場合、特定部１３４は、検索クエリ記憶部１２１を参照し、まず、１年前である「２０１５年８月（例えば、８月１日〜８月３１日まで）」に使用された検索クエリであって「８月」という時期を特徴付ける検索クエリを特定する。例えば、特定部１３４は、「プール」、「ビアガーデン」、「花火大会」、「虫よけ」を特定する。
【００８９】
次に、特定部１３４は、特定したこれらの検索クエリそれぞれの「８月」における使用頻度、すなわち「使用回数」に基づいて、所定数の検索クエリを絞り込む。ここで、検索クエリ「プール」、「ビアガーデン」、「花火大会」、「虫よけ」の中で使用回数が多い上位の３つの検索クエリが「プール」、「ビアガーデン」、「花火大会」であったものとする。かかる場合、特定部１３４は、検索クエリ「プール」、「ビアガーデン」、「花火大会」、「虫よけ」の中から、「８月」に使用回数の多かった上位３つの検索クエリ「プール」、「ビアガーデン」、「花火大会」を抽出することにより、これら３つ検索クエリに絞り込む。
【００９０】
（抽出部１３５について（１））
抽出部１３５は、エリアコンテンツとともに表示されるコンテンツであって、現在時期に関連するコンテンツである時期コンテンツを抽出する。また、抽出部１３５は、取得部１３３により取得された位置情報に関連するコンテンツであって現在時期に関連するコンテンツであるエリアコンテンツを抽出する。例えば、抽出部１３５は、取得部１３３により取得された位置情報が示す現在位置から所定範囲内にある位置に関連するコンテンツであって現在時期に関連するコンテンツであるエリアコンテンツを抽出する。
【００９１】
現在時期に関連する時期コンテンツやエリアコンテンツを抽出する手法として、例えば、抽出部１３５は、特定部１３４により、過去において現在時期と同時期に使用された検索クエリの使用頻度に基づき特定された検索クエリに対応する時期コンテンツ、および、エリアコンテンツを抽出する。
【００９２】
まず、時期コンテンツの抽出について図１の例を用いて説明する。まず、「２０１６年０８月１０日」において端末装置１０が、現在位置情報「六本木」を含むコンテンツ要求を送信したことにより、取得部１３３によって現在位置情報「六本木」が取得されたものとする。また、特定部１３４により「プール」、「ビアガーデン」、「花火大会」といった３つの検索クエリが特定されたものとする。
【００９３】
かかる場合、抽出部１３５は、時期コンテンツ記憶部１２２を参照し、この３つの検索クエリの少なくとも何れか１つに合致する特徴キーワードが対応付けられる時期コンテンツを１つ抽出する。例えば、抽出部１３５は、検索クエリ「花火大会」に一致する特徴キーワードが対応付けられる時期コンテンツＣ１２を抽出する。
【００９４】
なお、抽出部１３５は、検索クエリに関連する関連ワードを予測し、予測した関連ワードに一致する特徴キーワードが対応付けられる時期コンテンツを抽出してもよい。例えば、抽出部１３５は、検索クエリ「花火大会」に関連する関連ワードとして「浴衣」を予測し、関連ワード「浴衣」に一致する特徴キーワードが対応付けられる時期コンテンツを抽出する。そして、抽出部１３５は、検索クエリに一致する特徴キーワードが存在しない場合に、このような関連ワードを用いた抽出を行ってもよい。
【００９５】
次に、エリアコンテンツの抽出について図１の例を用いて説明する。抽出部１３５は、エリアコンテンツ記憶部１２３を参照し、端末装置１０の現在位置「六本木」から所定範囲内にある位置に関連するエリアコンテンツであって現在時期に関連するエリアコンテンツを抽出する。
【００９６】
例えば、抽出部１３５は、現在位置から所定範囲内にある位置を、現在位置を中心とした半径距離に基づいて決定する。一例を示すと、抽出部１３５は、現在位置から半径Ｘメートル以内に存在する地域（例えば、市区町村）を、現在位置から所定範囲内にある位置として決定する。
【００９７】
また、この例に限らず、抽出部１３５は、現在位置を含む地域（例えば、市区町村）に隣接する地域（例えば、市区町村）を、現在位置から所定範囲内にある位置として決定してもよい。
【００９８】
説明を戻す。抽出部１３５は、具体的には、「現在位置から所定範囲内にある位置」および「現在時期」を用いて、エリアコンテンツ記憶部１２３に記憶される各エリアコンテンツとマッチングを行い、「現在位置から所定範囲内にある位置」および「現在時期」の双方を満たすようなエリアコンテンツを抽出する。
【００９９】
上記のように過去において現在時期と同時期においてより使用頻度の高かった検索クエリ、つまり、現在時期とより関連性の高い検索クエリとして、「プール」、「ビアガーデン」、「花火大会」といった３つの検索クエリが特定された場合、抽出部１３５は、かかる検索クエリ「プール」、「ビアガーデン」、「花火大会」それぞれに合致する特徴キーワードが対応付けられるエリアコンテンツであって、現在位置「六本木」から所定範囲内にある位置に関連するエリアコンテンツを抽出する。
【０１００】
図１の例では、抽出部１３５は、検索クエリ「プール」、「ビアガーデン」、「花火大会」それぞれに一致する特徴キーワードが対応付けられ、かつ、現在位置「六本木」から所定範囲内の位置を示す位置情報が対応付けられるエリアコンテンツＣ３１〜Ｃ３３を抽出する。
【０１０１】
なお、時期コンテンツ抽出と同様に、抽出部１３５は、検索クエリに関連する関連ワードを予測し、予測した関連ワードに一致する特徴キーワードが対応付けられるエリアコンテンツを抽出してもよい。また、抽出部１３５は、現在位置から所定範囲内にある位置に関連するエリアコンテンツであって現在時期に関連するエリアコンテンツが存在しなかった場合、所定範囲の広さを広げて再度マッチングを行ってもよい。
【０１０２】
（抽出部１３５について（２））
ここで、抽出部１３５は、上述した検索クエリを用いた抽出処理以外の他の抽出方法も合わせて採用することができる。この他の抽出方法とは、エリアコンテンツ記憶部１２３における「対応時期」を用いる方法である。具体的には、抽出部１３５は、現在時期（例えば、月歴等）に関連するエリアコンテンツであって、ユーザの現在位置から所定範囲内にある位置に関連するエリアコンテンツを抽出する。
【０１０３】
具体的には、抽出部１３５は、エリアコンテンツ記憶部１２３を参照し、現在時期を示す「月歴」（かかる例では「８月」）が「対応時期」として対応付けられるエリアコンテンツであって、現在位置「六本木」から所定範囲内にある位置に関連するエリアコンテンツを抽出する。
【０１０４】
上記例では、抽出部１３５は、現在時期「８月」が対応時期として対応付けられ、かつ、現在位置「六本木」から所定範囲内の位置を示す位置情報が対応付けられるエリアコンテンツを抽出する。
【０１０５】
なお、「月歴」を用いる例を示したが、抽出部１３５は、例えば、さらに粒度の細かい時期でのマッチングを行うことによりエリアコンテンツを抽出してもよい。例えば、抽出部１３５は、「月歴、日付」でのマッチングを行ってもよい。一例を示すと、コンテンツ要求を取得した、まさに現在を「２０１６年０８月１０」とすることは既に説明したが、抽出部１３５は、２０１６年８月中であって「２０１６年０８月１０」を「対応時期」に含むエリアコンテンツを抽出する。
【０１０６】
例えば、エリアコンテンツの中には、使用期限が定められたクーポンも存在するが、かかる場合、この使用期限が「対応時期」として指定される場合がある。かかる場合、抽出部１３５は、「２０１６年０８月１０」現在において使用可能、あるいは、「２０１６年０８月１０」以降において使用可能となるクーポンであるエリアコンテンツを抽出することができる。
【０１０７】
（生成部１３６について）
生成部１３６は、抽出部１３５により抽出された時期コンテンツと、エリアコンテンツとを用いてウェブページを生成する。具体的には、生成部１３６は、図２に示すように、ウェブページ全体の領域のうち上半分の領域（領域Ｒ１）に時期コンテンツが表示され、下半分の領域（領域Ｒ２）にエリアコンテンツが表示されるようなウェブページを生成する。
【０１０８】
また、生成部１３６は、下半分の領域にエリアコンテンツが表示されるようにするにあたって、エリアコンテンツが一覧表示されるように、例えば、かかるエリアコンテンツを縦一列に並べたウェブページを生成する。具体的には、生成部１３６は、抽出されたエリアコンテンツの入稿日に基づいて、当該抽出されたエリアコンテンツが一覧表示されるよう縦一列に並べたウェブページを生成する。例えば、生成部１３６は、抽出されたエリアコンテンツについて、入稿日が新しいエリアコンテンツほど上に配置したウェブページを生成する。
【０１０９】
この点について、上記例の場合、生成部１３６は、図２に示すように、領域Ｒ２３において、入稿日の最も新しいエリアコンテンツＣ３２（入稿日：２０１６年０８月０９日）を一番上に、次に入稿日の新しいエリアコンテンツＣ３３（入稿日：２０１６年０８月０５日）を２番目に、最も入稿日の古いエリアコンテンツＣ３１（入稿日：２０１６年０８月０１日）を一番下に配置したウェブページＷ１を生成する。
【０１１０】
なお、生成部１３６は、各エリアコンテンツが抽出される際に用いられた検索クエリの使用頻度に基づいて、抽出されたエリアコンテンツが一覧表示されるよう縦一列に並べたウェブページを生成してもよい。上記例では、エリアコンテンツＣ３１は、検索クエリ「プール」とのマッチングにより抽出された。また、エリアコンテンツＣ３２は、検索クエリ「ビアガーデン」とのマッチングにより抽出された。また、エリアコンテンツＣ３３は、検索クエリ「花火大会」とのマッチングにより抽出された。
【０１１１】
ここで、例えば、「２０１５年８月」において、検索クエリ「花火大会」の使用回数が最も多く、次に検索クエリ「プール」の使用回数が多く、検索クエリ「ビアガーデン」の使用回数が最も少なかったとする。かかる場合、生成部１３６は、使用回数が最も多かった検索クエリ「花火大会」に対応するエリアコンテンツＣ３３を一番上に、次に使用回数が多かった検索クエリ「プール」に対応するエリアコンテンツＣ３１を２番目に、そしてエリアコンテンツＣ３２を一番下に配置したウェブページＷ１を生成する。
【０１１２】
また、生成部１３６は、抽出された各エリアコンテンツの「お気に入り登録数」に基づいて、抽出されたエリアコンテンツが一覧表示されるよう縦一列に並べたウェブページを生成してもよい。例えば、生成部１３６は、抽出されたエリアコンテンツについて、「お気に入り登録数」が新しいエリアコンテンツほど上に配置したウェブページを生成する。
【０１１３】
また、生成部１３６は、上記のようにウェブページを生成するにあたって、時期コンテンツおよびエリアコンテンツそれぞれについて、遷移先のコンテンツを示すＵＲＬを張り付ける。例えば、図５の例では、時期コンテンツＣ１２から遷移される第１コンテンツが、第１コンテンツＣ１２−１〜Ｃ１２−４である。このため、生成部１３６は、これら４つの第１コンテンツに対応するＵＲＬ「Ｕ１２−１」〜「Ｕ１２−４」を時期コンテンツＣ１２に張り付ける。
【０１１４】
また、図６の例では、エリアコンテンツＣ３１〜Ｃ３３それぞれから遷移されるコンテンツが、コンテンツＣ３１−１、Ｃ３２−１、Ｃ３３−１である。このため、生成部１３６は、これら３つのコンテンツに対応するＵＲＬ「Ｕ３１−１」、ＵＲＬ「Ｕ３２−１」、ＵＲＬ「Ｕ３３−１」をエリアコンテンツＣ３１〜Ｃ３３それぞれに張り付ける。
【０１１５】
（配信部１３７について）
配信部１３７は、時期コンテンツとエリアコンテンツとが組み合されたウェブページを端末装置１０に配信する。例えば、配信部１３７は、上記のように生成部１３６によって生成されたウェブページを端末装置１０に配信する。
【０１１６】
〔３．処理手順〕
次に、図７を用いて、第１の実施形態にかかる配信装置１００が実行する配信処理の手順について説明する。図７は、第１の実施形態にかかる配信装置１００による配信処理手順を示すフローチャートである。
【０１１７】
まず、配信装置１００の取得部１３３は、端末装置１０から当該端末装置１０の現在位置を示す現在位置情報を含むコンテンツ要求を取得したか否かを判定する（ステップＳ１０１）。特定部１３４は、現在位置情報を含むコンテンツ要求が取得された場合には（ステップＳ１０１；Ｙｅｓ）、過去において現在時期と同時期に使用された検索クエリを特定する（ステップＳ１０２）。また、特定部１３４は、特定した検索クエリそれぞれの使用頻度（使用回数）に基づいて、特定した検索クエリの中から所定数の検索クエリを絞り込む（ステップＳ１０３）。
【０１１８】
次に、抽出部１３５は、エリアコンテンツとともに表示されるコンテンツであって、現在時期に関連するコンテンツである時期コンテンツを抽出する（ステップＳ１０４）。例えば、抽出部１３５は、特定部１３４により絞り込まれた検索クエリに対応する時期コンテンツを抽出する。
【０１１９】
また、抽出部１３５は、端末装置１０の現在位置から所定範囲内にある位置に関連するコンテンツであって現在時期に関連するコンテンツであるエリアコンテンツを抽出する（ステップＳ１０５）。例えば、抽出部１３５は、現在時期に関連するエリアコンテンツが抽出できるよう、端末装置１０の現在位置から所定範囲内にある位置に関連するエリアコンテンツであって特定部１３４により絞り込まれた検索クエリに対応するエリアコンテンツを抽出する。
【０１２０】
次に、生成部１３６は、抽出された時期コンテンツとエリアコンテンツとを組み合わせたウェブページを生成する（ステップＳ１０６）。そして、配信部１３７は、生成されたウェブページを端末装置１０に配信する（ステップＳ１０７）。
【０１２１】
（第２の実施形態）
ここからは、第２の実施形態にかかる配信装置２００について説明する。第２の実施形態にかかる配信装置２００は、上述してきた第１の実施形態にかかる配信装置１００が、以下に示す処理部をさらに有することで、上記第１の実施形態で説明した処理以外の種々の異なる処理を行うものである。
【０１２２】
〔１．配信装置の構成〕
まず、図８を用いて、第２の実施形態にかかる配信装置２００について説明する。図８は、第２の実施形態にかかる配信装置２００の構成例を示す図である。図８に示すように、第２の実施形態にかかる配信装置２００は、通信部１１０と、記憶部１２０と、制御部２３０とを有する。第１の実施形態にかかる配信装置１００と同一の符号が付されている記憶部および処理部については説明を省略する。
【０１２３】
制御部２３０は、ＣＰＵやＭＰＵ等によって、配信装置２００内部の記憶装置に記憶されている各種プログラムがＲＡＭを作業領域として実行されることにより実現される。また、制御部２３０は、例えば、ＡＳＩＣやＦＰＧＡ等の集積回路により実現される。
【０１２４】
図８に示すように、制御部２３０は、図３に示す制御部１３０が評価部２３８と、通知部２３９と、特定部２４０とをさらに有するものである。なお、制御部２３０の内部構成は、図８に示した構成に限られず、後述する情報処理を行う構成であれば他の構成であってもよい。また、制御部２３０が有する各処理部の接続関係は、図８に示した接続関係に限られず、他の接続関係であってもよい。
【０１２５】
（評価部２３８について（１））
評価部２３８は、配信部１３７によりエリアコンテンツが配信されたユーザのユーザ行動状況に基づき、配信部１３７により配信されたエリアコンテンツを評価する。例えば、評価部２３８は、配信部１３７によりエリアコンテンツが端末装置１０に配信された後、かかる端末装置１０の位置情報に基づき、かかる端末装置１０のユーザが、エリアコンテンツによって示される場所に訪問したか否かを判定する。そして、評価部２３８は、判定結果に応じて、エリアコンテンツそれぞれをスコアを用いて評価する。なお、端末装置１０の位置情報は、取得部１３３により定期的に取得されてもよいし、評価部２３８が定期的に取得してもよい。また、端末装置１０が、位置情報を定期的に配信装置２００に送信してもよい。
【０１２６】
例えば、評価部２３８は、エリアコンテンツが配信された端末装置１０それぞれについて、当該端末装置が、かかるエリアコンテンツによって示される位置から所定範囲内の位置に入ったか否かを判定する。そして、評価部２３８は、かかるエリアコンテンツによって示される位置から所定範囲内の位置に入ったと判定した場合には、対象の端末装置１０のユーザがエリアコンテンツによって示される場所に訪問したと判定する。このように、評価部２３８は、ユーザがエリアコンテンツによって示される場所に訪問したと判定した場合、かかるコンテンツに所定の評価スコアを加算する。
【０１２７】
このようなことから評価スコアの合計値がより高いエリアコンテンツによって示される場所は、これまでにより多くのユーザに訪問されていることを示す。つまり、このような場所は、ユーザの人気が高い場所といえる。したがって、抽出部１３５は、端末装置１０の現在位置から所定範囲内にある位置に関連するエリアコンテンツであって現在時期に関連するエリアコンテンツのうち、評価スコアの合計値がより高いエリアコンテンツを優先的に抽出する。
【０１２８】
これにより、第２の実施形態にかかる配信装置２００は、例えば、ユーザに興味を持たれ易い、あるいは、ユーザに人気がある傾向にある場所やイベント等を紹介するエリアコンテンツを、優先的にユーザに配信することができる。すなわち、配信装置２００は、ユーザにとって有益な情報を提供することができる。
【０１２９】
（評価部２３８について（２））
また、評価部２３８は、エリアコンテンツから遷移された遷移先コンテンツにおけるユーザの滞在時間に基づいて、配信部１３７により配信された各エリアコンテンツを評価してもよい。例えば、評価部２３８は、エリアコンテンツが選択されることにより遷移先コンテンツへと遷移された場合に、その遷移先コンテンツにおけるユーザの滞在時間を計測する。
【０１３０】
そして、評価部２３８は、計測した滞在時間に応じた評価スコアを、遷移先コンテンツに対応するエリアコンテンツに加算する。例えば、評価部２３８は、滞在時間が長いほどより高い評価スコアを加算する。
【０１３１】
このようなことから評価スコアの合計値がより高いエリアコンテンツは、よりユーザに興味を持たれていることを示す。したがって、抽出部１３５は、端末装置１０の現在位置から所定範囲内にある位置に関連するエリアコンテンツであって現在時期に関連するエリアコンテンツのうち、評価スコアの合計値がより高いエリアコンテンツを優先的に抽出する。
【０１３２】
これにより、第２の実施形態にかかる配信装置２００は、例えば、ユーザに興味を持たれ易い、あるいは、ユーザに人気がある傾向にある場所やイベント等を紹介するエリアコンテンツを、優先的にユーザに配信することができる。すなわち、配信装置２００は、ユーザにとって有益な情報を提供することができる。
【０１３３】
（評価部２３８について（３））
また、評価部２３８は、上記のように各エリアコンテンツについて算出した評価スコアに基づいて、どのようなエリアコンテンツがどのようなユーザに人気があるかといったエリアコンテンツに対するユーザ動向を算出してもよい。一例を示すと、評価部２３８は、「イタリア料理店に関するコンテンツ」は「女性に人気がある」、あるいは、「○○イベント」に参加する客層は「３０代男性中心」といったように、エリアコンテンツの「カテゴリ」に対応付けた「ユーザ属性」をユーザ動向として算出する。例えば、評価部２３８は、各エリアコンテンツについて、このようなユーザ動向を算出し、エリアコンテンツに対応付けて記憶しておく。
【０１３４】
これにより、抽出部１３５は、コンテンツ要求送信元のユーザのユーザ属性に応じたエリアコンテンツを抽出することができる。例えば、コンテンツ要求送信元のユーザが「女性」であるとする。かかる場合、抽出部１３５は、そのユーザの端末装置１０の現在位置から所定範囲内にある位置に関連するエリアコンテンツであって現在時期に関連するエリアコンテンツのうち、「女性に人気がある」といったユーザ動向が算出されているエリアコンテンツを優先的に抽出する。
【０１３５】
これにより、第２の実施形態にかかる配信装置２００は、コンテンツ要求送信元のユーザのユーザ属性に応じたエリアコンテンツを提供することができる。すなわち、配信装置２００は、ユーザにとって有益な情報を提供することができる。
【０１３６】
（通知部２３９について）
通知部２３９は、ユーザに配信されたエリアコンテンツ示す場所の近辺に、当該ユーザが位置した場合に、当該ユーザに所定の通知を行う。例えば、通知部２３９は、ユーザに配信されたエリアコンテンツのうち、当該ユーザによって所定の登録処理が行われたエリアコンテンツが示す場所の近辺に、当該ユーザが位置した場合に、当該ユーザの端末装置１０に対してプッシュ通知を行う。
【０１３７】
例えば、ユーザＵ１が、エリアコンテンツＣ３２をお気に入り登録したとする。かかる場合、通知部２３９は、エリアコンテンツＣ３２によって示される場所を特定するとともに、ユーザＵ１の現在位置を監視する。そして、通知部２３９は、エリアコンテンツＣ３２によって示される場所から所定範囲内の領域に入った場合に、ユーザＵ１の端末装置１０に対してプッシュ通知する。例えば、通知部２３９は、「目的地の〇〇近くです」といった情報をプッシュ通知する。
【０１３８】
（特定部２４０について（１））
特定部２４０は、ユーザの現在位置周辺の周辺状況を特定する。例えば、特定部２４０は、ユーザの現在位置周辺の周辺状況として、現在の天候を特定する。また、かかる場合、抽出部１３５は、ユーザの端末装置１０の現在位置から所定範囲内にある位置に関連するエリアコンテンツであって現在時期に関連するエリアコンテンツのうち、特定部２４０により特定された現在の天候に応じたエリアコンテンツを優先的に抽出する。この点について、図９を用いて説明する。
【０１３９】
図９は、周辺状況に応じたエリアコンテンツの一例を示す図（１）である。例えば、特定部２４０は、天気予報に関する情報を管理するサーバ装置にアクセスし、コンテンツ要求送信元のユーザ（ユーザＵ１とする）の現在位置周辺における現在の天候を特定する。ここでは、特定部２４０は、ユーザＵ１の現在位置周辺における現在の天候が「雨」であることを特定したとする。
【０１４０】
かかる場合、抽出部１３５は、これまで説明してきたように、ユーザＵ１の端末装置１０の現在位置から所定範囲内にある位置に関連するエリアコンテンツであって現在時期に関連するエリアコンテンツを抽出する。このとき抽出部１３５は、ユーザＵ１の現在位置周辺における現在の天候が「雨」であるため、抽出したエリアコンテンツの中から少なくとも１つ、例えば、「雨であっても濡れずに行くことができる情報」（場所、イベント等）を示すエリアコンテンツを特定する。ここでは、抽出部１３５は、このようなエリアコンテンツとして、エリアコンテンツＣ３ｘを特定したとする。また、抽出部１３５は、エリアコンテンツＣ３ｘ以外にも、ユーザＵ１の端末装置１０の現在位置から所定範囲内にある位置に関連するエリアコンテンツであって現在時期に関連するエリアコンテンツを抽出しているものとする。
【０１４１】
そして、生成部１３６は、抽出部１３５により抽出されたコンテンツを用いて、ウェブページＷ１を生成する。このとき生成部１３６は、例えば図９に示すように、エリアコンテンツＣ３ｘに対して、エリアコンテンツＣ３ｘが天候「雨」に応じた特集であることを示す情報ＩＦ１（ピックアップ情報）を含めてもよい。また、生成部１３６は、エリアコンテンツＣ３ｘがよりユーザに閲覧され易くするために、例えば、エリアコンテンツＣ３ｘを一覧表示の一番上に配置する。
【０１４２】
これにより、配信装置２００は、ユーザの現在位置周辺における現在の天候に応じたエリアコンテンツを提供することができるため、天候に拘わらずユーザの外出意欲を高めることができる。
【０１４３】
（特定部２４０について（２））
また、特定部２４０は、ユーザの現在位置周辺の周辺状況として、現在の交通状況を特定してもよい。かかる場合、抽出部１３５は、ユーザの端末装置１０の現在位置から所定範囲内にある位置に関連するエリアコンテンツであって現在時期に関連するエリアコンテンツのうち、特定部２４０により特定された現在の交通状況に応じたエリアコンテンツを優先的に抽出する。この点について、図１０を用いて説明する。
【０１４４】
図１０は、周辺状況に応じたエリアコンテンツの一例を示す図（２）である。例えば、特定部２４０は、交通状況に関する情報を管理するサーバ装置にアクセスし、コンテンツ要求送信元のユーザ（ユーザＵ１とする）の現在位置周辺における現在の交通状況を特定する。例えば、特定部２４０は、まず、ユーザＵ１が現在利用している交通手段を割り出す。この手法については、任意の手法が用いられてよい。
【０１４５】
例えば、特定部２４０は、端末装置１０から取得されたユーザＵ１の現在位置に基づき、ユーザＵ１の移動速度を算出することにより、ユーザＵ１が現在利用している交通手段として「自動車」や「電車」を割り出す。また、特定部２４０は、割り出した交通手段におけるユーザＵ１の現在位置での交通状況を特定する。ここでは、特定部２４０は、ユーザＵ１が現在利用している交通手段について「Ｌ１線、Ｔ駅周辺」を割り出したとする。また、特定部２４０は、交通状況に関する情報を管理するサーバ装置にアクセスすることにより、「Ｌ１線、Ｔ駅周辺」で「遅延発生」を特定したとする。
【０１４６】
かかる場合、抽出部１３５は、これまで説明してきたように、ユーザＵ１の端末装置１０の現在位置から所定範囲内にある位置に関連するエリアコンテンツであって現在時期に関連するエリアコンテンツを抽出する。このとき抽出部１３５は、ユーザＵ１が現在利用している交通手段が「Ｌ１線、Ｔ駅周辺」であり「遅延発生」していることにより、抽出したエリアコンテンツの中から少なくとも１つ、例えば、「Ｔ駅近辺（例えば、Ｔ駅から半径１００メートル以内）に関する情報」（場所、イベント等）を示すエリアコンテンツを特定する。ここでは、抽出部１３５は、このようなエリアコンテンツとして、エリアコンテンツＣ３ｙを特定したとする。また、抽出部１３５は、エリアコンテンツＣ３ｙ以外にも、ユーザＵ１の端末装置１０の現在位置から所定範囲内にある位置に関連するエリアコンテンツであって現在時期に関連するエリアコンテンツを抽出しているものとする。
【０１４７】
そして、生成部１３６は、抽出部１３５により抽出されたコンテンツを用いて、ウェブページＷ１を生成する。このとき生成部１３６は、例えば図１０に示すように、エリアコンテンツＣ３ｙに対して、エリアコンテンツＣ３ｙが「電車遅延」に応じた特集であることを示す情報ＩＦ２（ピックアップ情報）を含めてもよい。また、生成部１３６は、エリアコンテンツＣ３ｙがよりユーザに閲覧され易くするために、例えば、エリアコンテンツＣ３ｙを一覧表示の一番上に配置する。
【０１４８】
これにより、配信装置２００は、ユーザの現在位置周辺における交通状況に応じたエリアコンテンツを提供することができるため、例えば、ユーザが車渋滞や電車遅延といった不利な状況に置かれている場合に、その不利な状況をユーザにとって有益な状況へと転換させることができる。
【０１４９】
（特定部２４０について（３））
また、特定部２４０は、ユーザの現在位置周辺の周辺状況として、現在時刻を特定してもよい。かかる場合、抽出部１３５は、ユーザの端末装置１０の現在位置から所定範囲内にある位置に関連するエリアコンテンツであって現在時期に関連するエリアコンテンツのうち、特定部２４０により特定された現在時刻に応じたエリアコンテンツを優先的に抽出する。
【０１５０】
これにより、配信装置２００は、例えば、ユーザからコンテンツ要求を取得したのが昼の時間帯であれば、「ランチメニューを特集するお店紹介」といったエリアコンテンツを優先的に提供することができるため、ユーザにとって有益な情報を提供することができる。
【０１５１】
（その他）
〔１．変形例〕
上記第１の実施形態にかかる配信装置１００、および、第２の実施形態にかかる配信装置２００は、上記実施形態以外にも種々の異なる形態にて実施されてよい。そこで、以下では、配信装置１００および配信装置２００の他の実施形態について説明する。なお、以下では、配信装置１００を例に用いて説明する。
【０１５２】
〔１−１．遷移先のコンテンツについて〕
上記配信装置１００における配信部１３８は、端末装置１０に表示された時期コンテンツがユーザに選択された場合に、選択された時期コンテンツから遷移されるコンテンツとして、選択された時期コンテンツおよび当該ユーザの現在位置に関連する情報を含む関連コンテンツを配信する。この点について、図１１を用いて説明する。
【０１５３】
図１１は、時期コンテンツが選択された場合に配信されるコンテンツについて説明する説明図である。まず、図１１（ａ）は、図２に示すウェブページＷ１の一部分を示す図である。具体的には、図１１（ａ）は、図２に示すウェブページＷ１の上半分に表示される時期コンテンツの部分を抽出したものであり、時期コンテンツＣ１２が表示されている例を示す。
【０１５４】
ここで、例えば、ユーザＵ１が、時期コンテンツＣ１２を選択（例えば、タップ操作）したとする。かかる場合、端末装置１０は、時期コンテンツ１０から遷移される遷移先コンテンツの要求を配信装置１００に送信する。図５の例では、時期コンテンツＣ１２には、その遷移先コンテンツである第１コンテンツを示す第１ＵＲＬ「Ｕ１２−１」〜「Ｕ１２−４」が貼り付けられている。したがって、端末装置１０は、第１ＵＲＬ「Ｕ１２−１」〜「Ｕ１２−４」を含む要求を配信装置１００に送信する。
【０１５５】
例えば、取得部１３３によって、かかる要求が取得されると、抽出部１３５は、時期コンテンツ記憶部１２２を参照し、第１ＵＲＬ「Ｕ１２−１」〜「Ｕ１２−４」がそれぞれに対応付けられる第１コンテンツ「Ｃ１２−１」〜「Ｃ１２−４」を抽出する。次に、生成部１３６は、抽出部１３５により抽出された第１コンテンツ「Ｃ１２−１」〜「Ｃ１２−４」を組み合わせて、ウェブページＷ１−１を生成する。このとき生成部１３６は、第１コンテンツ「Ｃ１２−１」〜「Ｃ１２−４」それぞれに対して、対応する遷移先コンテンツである第２コンテンツを示す第２ＵＲＬを貼り付ける。
【０１５６】
図５の例では、生成部１３６は、第１コンテンツ「Ｃ１２−１」には、第２ＵＲＬ「Ｕ１２−１−１」を貼り付け、第１コンテンツ「Ｃ１２−２」には、第２ＵＲＬ「Ｕ１２−２−２」を貼り付け、第１コンテンツ「Ｃ１２−３」には、第２ＵＲＬ「Ｕ１２−３−３」を貼り付け、第１コンテンツ「Ｃ１２−４」には、第２ＵＲＬ「Ｕ１２−４−４」を貼り付ける。そして、配信部１３８は、生成部１３６により生成されたウェブページＷ１−１を端末装置１０に配信する。
【０１５７】
図１１（ｂ）は、端末装置１０によって表示されたウェブページＷ１−１の一例を示す図である。図１１（ｂ）に示すように、ウェブページＷ１−１は、時期コンテンツＣ１２の内容をより詳細に説明するものであり、各主要都市の花火大会詳細情報それぞれに対応する第１コンテンツ「Ｃ１２−１」〜「Ｃ１２−４」を含む。
【０１５８】
ここで、ユーザＵ１が、第１コンテンツ「Ｃ１２−１」を選択したとする。かかる場合、端末装置１０は、第１コンテンツ「Ｃ１２−１」から遷移される遷移先コンテンツの要求を配信装置１００に送信する。第１コンテンツ「Ｃ１２−１」には、その遷移先コンテンツである第２コンテンツを示す第２ＵＲＬ「Ｕ１２−１−１」が貼り付けられている。したがって、端末装置１０は、第２ＵＲＬ「Ｕ１２−１−１」を含む要求を配信装置１００に送信する。
【０１５９】
例えば、取得部１３３によって、かかる要求が取得されると、抽出部１３５は、時期コンテンツ記憶部１２２を参照し、第２ＵＲＬ「Ｕ１２−１−１」に対応付けられる第２コンテンツ「Ｃ１２−１−１」を抽出する。次に、生成部１３６は、抽出部１３５により抽出された第２コンテンツ「Ｃ１２−１−１」を含むウェブページＷ１−１−１を生成する。このとき生成部１３６は、時期コンテンツＣ１２およびユーザＵ１の現在位置に関連する情報もウェブページＷ１−１−１に含める。図１１に示すように時期コンテンツＣ１２、第１コンテンツ「Ｃ１２−１」ともに「花火大会」に関する内容のコンテンツである。
【０１６０】
したがって、生成部１３６は、「花火大会」およびユーザＵ１の現在位置に関連する情報を示す関連コンテンツＣ１２ｘを含むウェブページＷ１−１−１を生成する。一例を示すと、生成部１３６は、ユーザＵ１の現在位置から所定範囲内の地域で行われる「花火大会」に関するコンテンツを検索する。このとき生成部１３６は、自装置（配信装置１００）内を検索してもよいし、外部のサーバ装置（例えば、コンテンツ配信を行うコンテンツサーバ）を検索してもよい。
【０１６１】
例えば、生成部１３６は、ユーザＵ１の現在位置から所定範囲内の地域で行われる「花火大会」に関するコンテンツとして、「Ｘ１花火大会」、「Ｘ２花火大会」、「Ｘ３花火大会」を紹介するコンテンツ（例えば、開催自治体のホームページ）を検索したとする。かかる場合、生成部１２７は、検索したコンテンツのＵＲＬを含めた「Ｘ１花火大会、詳細情報はコチラから」といったテキストを生成する。「Ｘ２花火大会」、「Ｘ３花火大会」についても同様である。
【０１６２】
そして、生成部１３６は、生成したテキストを含むコンテンツである関連コンテンツＣ１２ｘを生成するとともに、関連コンテンツＣ１２ｘを含むウェブページＷ１−１−１を生成する。そして、配信部１３８は、生成部１３６により生成されたウェブページＷ１−１−１を端末装置１０に配信する。
【０１６３】
図１１（ｃ）は、端末装置１０によって表示されたウェブページＷ１−１−１の一例を示す図である。図１１（ｃ）に示すように、ウェブページＷ１−１−１には、第１コンテンツ「Ｃ１２−１」の内容をより詳細に説明する第２コンテンツ「Ｃ１２−１−１」と、関連コンテンツＣ１２ｘとを含む。
【０１６４】
このように、配信装置１００は、時期コンテンツから遷移されてゆく遷移先コンテンツとともに、時期コンテンツおよびユーザの現在位置に関連する情報を含む関連コンテンツを表示させる。これにより、配信装置１００は、ユーザにとってより身近な情報を提供することができるため、ユーザに対して外出意欲を高めることができる。すなわち、配信装置１００は、ユーザにとって有益な情報を提供することができる。
【０１６５】
〔１−２．キーワードについて〕
上記各実施形態では、抽出部１３５が、過去において現在時期と同時期に使用された検索クエリの使用頻度に基づき特定された検索クエリに対応するエリアコンテンツまたは時期コンテンツを抽出する例を示した。しかし、抽出部１３５は、過去において現在時期と同時期に使用されたキーワードの使用頻度に基づき特定されたキーワードに対応するエリアコンテンツまたは時期コンテンツを抽出してもよい。かかるキーワードは、例えば、インターネット上で拡散されたキーワードである。一例を示すと、各種コンテンツ内に含まれるキーワードや、ＳＮＳで使用されたキーワードである。
【０１６６】
また、かかる場合、配信装置１００は、インターネット上でこれまでに使用されたキーワードを、その使用回数（インターネット上での出現回数）とともに記憶する記憶部として、例えば、キーワード記憶部を有する。
【０１６７】
また、特定部１３４は、キーワード記憶部を参照し、過去において現在時期と同時期に使用されたキーワードを特定する。例えば、特定部１３４は、キーワード記憶部を参照し、過去において現在時期と同時期に出現したキーワードであって現在時期に関連する（現在時期を特徴付ける）キーワードを特定する。
【０１６８】
〔１−３．コンテンツ抽出について〕
上記実施形態では、抽出部１３５が、過去において現在時期と同時期に使用された検索クエリの使用頻度に基づき特定された検索クエリに対応する時期コンテンツ、および、エリアコンテンツを抽出する例を示した。しかし、抽出部１３５は、現在時期に対応するキーワードに関連するエリアコンテンツまたは時期コンテンツを抽出してもよい。具体的には、抽出部１３５は、キーワードであって当該キーワードに関連する時期を示す時期情報が対応付けられたキーワードのうち、現在時期を示す時期情報が対応付けられたキーワードに関連するエリアコンテンツまたは時期コンテンツを抽出する。この点について、一例を用いて説明する。
【０１６９】
例えば、配信装置１００は、キーワードと、そのキーワードを特徴付ける時期を示す時期情報とを対応付けて所定の記憶部に記憶しているものとする。一例を示すと、配信装置１００は、キーワード「あじさい」と時期情報「６月」との組み合わせや、キーワード「花火、かき氷、プール」と時期情報「７月〜８月」との組み合わせを所定の記憶部に記憶している。なお、このような組み合わせは、例えば、配信装置１００の管理者によって予め作成されてもよいし、配信装置１００によって自動で作成されてもよい。
【０１７０】
このような状態において、例えば、ユーザからコンテンツ要求を受け付けた現在時期が「８月」であれば、特定部１３４は、上記の所定の記憶部に記憶される各組み合わせに含まれるキーワードのうち、現在時期「８月」に合致する時期情報が対応付けられたキーワードを特定する。上記例では、特定部１３４は、時期情報「７月〜８月」が対応付けられたキーワード「花火、かき氷、プール」を特定する。
【０１７１】
そして、抽出部１３５は、キーワード「花火」、「かき氷」、「プール」それぞれに合致する特徴キーワードが対応付けられるエリアコンテンツであって、現在位置「六本木」から所定範囲内にある位置に関連するエリアコンテンツを抽出する。
【０１７２】
これにより、配信装置１００は、検索クエリやネット上でのキーワードを用いてコンテンツを抽出する以外にも、予め時期情報が対応付けられたキーワードを用いて、コンテンツを抽出することができるため、柔軟にコンテンツを抽出することができる。また、例えば、配信装置１００は、特定された検索クエリに合致する特徴キーワードを有するエリアコンテンツが存在しない場合に、かかる手法を用いることにより、効率よくエリアコンテンツを抽出することができる。
【０１７３】
〔２．ハードウェア構成〕
また、上述してきた第１の実施形態にかかる配信装置１００および第２の実施形態にかかる配信装置２００は、例えば図１２に示すような構成のコンピュータ１０００によって実現される。以下、配信装置１００を例に挙げて説明する。図１２は、配信装置１００の機能を実現するコンピュータ１０００の一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１７４】
ＣＰＵ１１００は、ＲＯＭ１３００又はＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１７５】
ＨＤＤ１４００は、ＣＰＵ１１００によって実行されるプログラム、及び、かかるプログラムによって使用されるデータ等を格納する。通信インターフェイス１５００は、通信網５０を介して他の機器からデータを受信してＣＰＵ１１００へ送り、ＣＰＵ１１００が生成したデータを通信網５０を介して他の機器へ送信する。
【０１７６】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、生成したデータを入出力インターフェイス１６００を介して出力装置へ出力する。
【０１７７】
メディアインターフェイス１７００は、記録媒体１８００に格納されたプログラム又はデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１７８】
例えば、コンピュータ１０００が第１の実施形態にかかる配信装置１００として機能する場合、コンピュータ１０００のＣＰＵ１１００は、ＲＡＭ１２００上にロードされたプログラムを実行することにより、制御部１３０の機能を実現する。また、ＨＤＤ１４００には、記憶部１２０内のデータが格納される。コンピュータ１０００のＣＰＵ１１００は、これらのプログラムを記録媒体１８００から読み取って実行するが、他の例として、他の装置から通信網５０を介してこれらのプログラムを取得してもよい。
【０１７９】
なお、コンピュータ１０００が第２の実施形態にかかる配信装置２００として機能する場合、コンピュータ１０００のＣＰＵ１１００は、ＲＡＭ１２００上にロードされたプログラムを実行することにより、制御部２３０の機能を実現する。
【０１８０】
〔３．その他〕
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１８１】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１８２】
また、上述してきた各実施形態は、処理内容を矛盾させない範囲で適宜組み合わせることが可能である。
【０１８３】
（効果）
第１の実施形態にかかる配信装置１００は、取得部１３３と、抽出部１３５と、配信部１３７とを有する。取得部１３３は、ユーザの現在位置を示す位置情報を取得する。抽出部１３５は、取得部１３３により取得された位置情報に関連するコンテンツであって現在時期に関連するコンテンツである第１のコンテンツを抽出する。配信部１３７は、抽出部１３５により抽出された第１のコンテンツ（エリアコンテンツ）をユーザに配信する。
【０１８４】
これにより、第１の実施形態にかかる配信装置１００は、ユーザにとって有益な情報を提供することができる。
【０１８５】
また、抽出部１３５は、過去において現在時期と同時期に起こった事柄に対する注目度に基づいて、第１のコンテンツを抽出する。
【０１８６】
これにより、第１の実施形態にかかる配信装置１００は、現在時期においてよりユーザに注目されている事柄に関する第１のコンテンツを抽出することができる。
【０１８７】
また、抽出部１３５は、注目度として過去において現在時期と同時期に使用された検索クエリの使用頻度に基づき特定された検索クエリに対応する第１のコンテンツを抽出する。
【０１８８】
これにより、第１の実施形態にかかる配信装置１００は、現在時期においてよりユーザに注目されている事柄に関する第１のコンテンツを抽出することができるため、現在時期と関連性の高い第１のコンテンツを抽出することができる。
【０１８９】
また、配信部１３７は、第１のコンテンツが抽出される際に用いられた検索クエリの使用頻度に基づく並び順で、抽出部により抽出された第１のコンテンツが一覧表示されるように配信する。
【０１９０】
これにより、第１の実施形態にかかる配信装置１００は、抽出された第１のコンテンツのうち、よりユーザに興味をもたれる可能性の高い第１のコンテンツをよりユーザの目に留まり易い位置に表示させることができる。
【０１９１】
また、抽出部１３５は、注目度として、過去において現在時期と同時期にインターネット上で使用されたキーワードの使用頻度に基づき特定されたキーワードに対応する第１のコンテンツを抽出する。
【０１９２】
これにより、第１の実施形態にかかる配信装置１００は、現在時期においてよりユーザに注目されている事柄に関する第１のコンテンツを抽出することができるため、現在時期と関連性の高い第１のコンテンツを抽出することができる。
【０１９３】
また、配信部１３７は、第１のコンテンツが抽出される際に用いられたキーワードの使用頻度に基づく並び順で、抽出部１３５により抽出された第１のコンテンツが一覧表示されるように配信する。
【０１９４】
これにより、第１の実施形態にかかる配信装置１００は、抽出された第１のコンテンツのうち、よりユーザに興味をもたれる可能性の高い第１のコンテンツをよりユーザの目に留まり易い位置に表示させることができる。
【０１９５】
また、抽出部１３５は、キーワードであって当該キーワードに関連する時期を示す時期情報が対応付けられたキーワードのうち、現在時期を示す時期情報が対応付けられたキーワードに関連する第１のコンテンツを抽出する。
【０１９６】
これにより、第１の実施形態にかかる配信装置１００は、検索クエリやネット上でのキーワードを用いる以外にも、予め時期情報が対応付けられたキーワードを用いて、第１のコンテンツを抽出することができるため、柔軟にコンテンツを抽出することができる。
【０１９７】
第２の実施形態にかかる配信装置２００は、特定部２４０を有する。特定部２４０は、ユーザの現在位置周辺の周辺状況を特定する。そして、抽出部１３５は、特定部２４０により特定された周辺状況に応じた第１のコンテンツを抽出する。
【０１９８】
これにより、第２の実施形態にかかる配信装置２００は、ユーザの現在位置や現在時期に関連するだけでなく、さらにユーザの周辺状況に応じたエリアコンテンツを抽出することができるため、ユーザにとって有益な情報を提供することができる。
【０１９９】
また、特定部２４０は、周辺状況として現在の天候を特定する。そして、抽出部１３５は、特定部２４０により特定された現在の天候に応じた第１のコンテンツを抽出する。
【０２００】
これにより、第２の実施形態にかかる配信装置２００は、例えば、雨の日であればユーザの現在位置から濡れずに行くことのできる店やイベント等を紹介する第１のコンテンツを優先的にユーザに提供することができる。
【０２０１】
また、特定部２４０は、周辺状況として現在の交通状況を特定する。そして、抽出部３５は、特定部２４０により特定された現在の交通状況に応じた第１のコンテンツを抽出する。
【０２０２】
これにより、第２の実施形態にかかる配信装置２００は、例えば、現在ユーザが交通渋滞や電車遅延に巻き込まれている場合に、交通渋滞や電車遅延が起こっている周辺での店やイベント等を紹介するエリアコンテンツを優先的にユーザに提供することができるため、例えば、時間を有効活用させることができる。
【０２０３】
また、特定部２４０は、周辺状況として現在時刻を特定する。そして、抽出部１３５は、特定部２４０により特定された現在時刻に応じた第１のコンテンツを抽出する。
【０２０４】
これにより、第２の実施形態にかかる配信装置２００は、現在時刻が昼の時刻であれば、例えば、ランチメニューを特集する店を紹介する第１のコンテンツをユーザに提供することができるため、ユーザにとって有益な情報を提供することができる。
【０２０５】
また、抽出部１３５は、ユーザに配信された第１のコンテンツに対する評価結果であって、当該第１のコンテンツによって示される場所にユーザが訪問したか否かに応じて評価された評価結果に基づいて、取得部１３３により取得された位置情報に関連するコンテンツである第１のコンテンツを抽出する。
【０２０６】
これにより、第２の実施形態にかかる配信装置２００は、例えば、ユーザに興味を持たれ易い、あるいは、ユーザに人気がある傾向にある場所やイベント等を紹介する第１のコンテンツを、優先的にユーザに配信することができる。
【０２０７】
また、第２の実施形態にかかる配信装置２００は、通知部２３９を有する。通知部２３９は、ユーザに配信されたエリアコンテンツのうちユーザによって所定の登録処理が行われたエリアコンテンツが示す場所の近辺に、ユーザが位置した場合に、ユーザに所定の通知を行う。
【０２０８】
これにより、第２の実施形態にかかる配信装置２００は、ユーザが目的地周辺に差し掛かったことをユーザに通知することができるため、ユーザが気付かずに目的地を通過してしまうといったことを防止することができる。
【０２０９】
また、抽出部１３５は、第１のコンテンツとともに表示されるコンテンツであって現在時期に関連するコンテンツである第２のコンテンツ（時期コンテンツ）を抽出する。そして、配信部１３７は、第２のコンテンツが第１のコンテンツとともに表示されるように配信する。
【０２１０】
これにより、第１の実施形態にかかる配信装置１００は、まず、第２のコンテンツを用いてユーザの外出意欲を高めたうえで、次に、第１のコンテンツを用いて、外出意欲が高められたユーザに対してより身近な情報を提供することができるため、よりユーザの外出意欲を高めることができる。
【０２１１】
また、配信部１３７は、第２のコンテンツがユーザに選択された場合に、第２のコンテンツに関連するコンテンツであって当該ユーザの現在位置に関連する情報を含むコンテンツである関連コンテンツを配信する。
【０２１２】
これにより、第１の実施形態にかかる配信装置１００は、ユーザに対してより身近な情報を提供することができるため、よりユーザの外出意欲を高めることができる。
【０２１３】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０２１４】
また、上述してきた「部（section、module、unit）」は、「手段」や「回路」などに読み替えることができる。例えば、抽出部は、抽出手段や抽出回路に読み替えることができる。
【符号の説明】
【０２１５】
１  配信システム
１０  端末装置
１００  配信装置
１２１  検索クエリ記憶部
１２２  時期コンテンツ記憶部
１２３  エリアコンテンツ記憶部
１３３  取得部
１３５  抽出部
１３７  配信部
２００  配信装置
２３８  評価部
２３９  通知部
２４０  特定部
【図１】
2018046528.tif 000003
【図２】
2018046528.tif 000004
【図３】
2018046528.tif 000005
【図４】
2018046528.tif 000006
【図５】
2018046528.tif 000007
【図６】
2018046528.tif 000008
【図７】
2018046528.tif 000009
【図８】
2018046528.tif 000010
【図９】
2018046528.tif 000011
【図１０】
2018046528.tif 000012
【図１１】
2018046528.tif 000013
【図１２】
2018046528.tif 000014
【手続補正書】
【提出日】平成29年1月27日(2017.1.27)
【手続補正１】
【補正対象書類名】特許請求の範囲
【補正対象項目名】全文
【補正方法】変更
【補正の内容】
【特許請求の範囲】
【請求項１】
ユーザの現在位置を示す位置情報を取得する取得部と、
前記取得部により取得された位置情報に関連するコンテンツであって現在時期に関連するコンテンツである第１のコンテンツを抽出する抽出部と、
前記抽出部により抽出された第１のコンテンツを前記ユーザに配信する配信部と
を有し、
前記抽出部は、インターネット上で使用された検索クエリまたはキーワードの履歴情報において、過去において現在時期と同時期に使用された検索クエリまたはキーワードの使用回数または使用頻度に基づき特定された検索クエリまたはキーワードに対応する前記第１のコンテンツを抽出する
ことを特徴とする配信装置。
【請求項２】
前記配信部は、前記第１のコンテンツが抽出される際に用いられた検索クエリの使用回数または使用頻度に基づく並び順で、前記抽出部により抽出された前記第１のコンテンツが一覧表示されるように配信する
ことを特徴とする請求項１に記載の配信装置。
【請求項３】
前記配信部は、前記第１のコンテンツが抽出される際に用いられたキーワードの使用回数または使用頻度に基づく並び順で、前記抽出部により抽出された前記第１のコンテンツが一覧表示されるように配信する
ことを特徴とする請求項１または２に記載の配信装置。
【請求項４】
前記抽出部は、キーワードであって当該キーワードに関連する時期を示す時期情報が対応付けられたキーワードのうち、現在時期を示す時期情報が対応付けられたキーワードに関連する第１のコンテンツを抽出する
ことを特徴とする請求項１〜３のいずれか１つに記載の配信装置。
【請求項５】
前記ユーザの現在位置周辺の周辺状況を特定する特定部をさらに有し、
前記抽出部は、前記特定部により特定された周辺状況に応じた前記第１のコンテンツを抽出する
ことを特徴とする請求項１〜４のいずれか１つに記載の配信装置。
【請求項６】
前記特定部は、前記周辺状況として現在の天候を特定し、
前記抽出部は、前記特定部により特定された現在の天候に応じた前記第１のコンテンツを抽出する
ことを特徴とする請求項５に記載の配信装置。
【請求項７】
前記特定部は、前記周辺状況として現在の交通状況を特定し、
前記抽出部は、前記特定部により特定された現在の交通状況に応じた前記第１のコンテンツを抽出する
ことを特徴とする請求項５または６に記載の配信装置。
【請求項８】
前記特定部は、前記周辺状況として現在時刻を特定し、
前記抽出部は、前記特定部により特定された現在時刻に応じた前記第１のコンテンツを抽出する
ことを特徴とする請求項５〜７のいずれか１つに記載の配信装置。
【請求項９】
前記抽出部は、前記ユーザに配信された第１のコンテンツに対する評価結果であって、当該第１のコンテンツによって示される場所に前記ユーザが訪問したか否かに応じて評価された評価結果に基づいて、前記取得部により取得された位置情報に関連するコンテンツである第１のコンテンツを抽出する
ことを特徴とする請求項１〜８のいずれか１つに記載の配信装置。
【請求項１０】
前記ユーザに配信された第１のコンテンツのうち前記ユーザによって所定の登録処理が行われた第１のコンテンツが示す場所の近辺に、前記ユーザが位置した場合に、前記ユーザに所定の通知を行う通知部をさらに有する
ことを特徴とする請求項１〜９のいずれか１つに記載の配信装置。
【請求項１１】
前記抽出部は、前記第１のコンテンツとともに表示されるコンテンツであって現在時期に関連するコンテンツである第２のコンテンツを抽出し、
前記配信部は、前記第２のコンテンツが前記第１のコンテンツとともに表示されるように配信する
ことを特徴とする請求項１〜１０のいずれか１つに記載の配信装置。
【請求項１２】
前記配信部は、前記第２のコンテンツがユーザに選択された場合に、前記第２のコンテンツに関連するコンテンツであって当該ユーザの現在位置に関連する情報を含むコンテンツである関連コンテンツを配信する
ことを特徴とする請求項１１に記載の配信装置。
【請求項１３】
コンピュータが実行する配信方法であって、
ユーザの現在位置を示す位置情報を取得する取得工程と、
前記取得工程により取得された位置情報に関連するコンテンツであって現在時期に関連するコンテンツである第１のコンテンツを抽出する抽出工程と、
前記抽出工程により抽出された第１のコンテンツを前記ユーザに配信する配信工程と
を含み、
前記抽出工程は、インターネット上で使用された検索クエリまたはキーワードの履歴情報において、過去において現在時期と同時期に使用された検索クエリまたはキーワードの使用回数または使用頻度に基づき特定された検索クエリまたはキーワードに対応する前記第１のコンテンツを抽出する
ことを特徴とする配信方法。
【請求項１４】
ユーザの現在位置を示す位置情報を取得する取得手順と、
前記取得手順により取得された位置情報に関連するコンテンツであって現在時期に関連するコンテンツである第１のコンテンツを抽出する抽出手順と、
前記抽出手順により抽出された第１のコンテンツを前記ユーザに配信する配信手順と
をコンピュータに実行させ、
前記抽出手順は、インターネット上で使用された検索クエリまたはキーワードの履歴情報において、過去において現在時期と同時期に使用された検索クエリまたはキーワードの使用回数または使用頻度に基づき特定された検索クエリまたはキーワードに対応する前記第１のコンテンツを抽出する
ことを特徴とする配信プログラム。
【手続補正書】
【提出日】平成29年11月29日(2017.11.29)
【手続補正１】
【補正対象書類名】特許請求の範囲
【補正対象項目名】全文
【補正方法】変更
【補正の内容】
【特許請求の範囲】
【請求項１】
ユーザの現在位置を示す位置情報を取得する取得部と、
前記取得部により取得された位置情報に関連するコンテンツであって現在時期に関連するコンテンツである第１のコンテンツを抽出する抽出部と、
前記抽出部により抽出された第１のコンテンツを前記ユーザに配信する配信部と
を有し、
前記抽出部は、前記取得部により取得された位置情報に基づき前記ユーザの現在位置周辺の周辺状況として、現在の交通状況が特定された場合に、インターネット上で使用された検索クエリの履歴情報において、過去において現在時期と同時期に使用された検索クエリの使用回数または使用頻度に基づき特定された検索クエリに対応する前記第１のコンテンツのうち、前記現在の交通状況に起因する前記ユーザの待ち時間に、前記ユーザが利用可能な施設、または、イベントに関する前記第１のコンテンツを抽出する
ことを特徴とする配信装置。
【請求項２】
前記配信部は、前記第１のコンテンツが抽出される際に用いられた検索クエリの使用回数または使用頻度に基づく並び順で、前記抽出部により抽出された前記第１のコンテンツが一覧表示されるように配信する
ことを特徴とする請求項１に記載の配信装置。
【請求項３】
前記抽出部は、キーワードであって当該キーワードに関連する時期を示す時期情報が対応付けられたキーワードのうち、現在時期を示す時期情報が対応付けられたキーワードに関連する第１のコンテンツを抽出する
ことを特徴とする請求項１または２に記載の配信装置。
【請求項４】
前記ユーザの現在位置周辺の周辺状況を特定する特定部をさらに有し、
前記抽出部は、前記特定部により特定された周辺状況に応じた前記第１のコンテンツを抽出する
ことを特徴とする請求項１〜３のいずれか１つに記載の配信装置。
【請求項５】
前記特定部は、前記周辺状況として現在の天候を特定し、
前記抽出部は、前記特定部により特定された現在の天候に応じた前記第１のコンテンツを抽出する
ことを特徴とする請求項４に記載の配信装置。
【請求項６】
前記特定部は、前記周辺状況として現在時刻を特定し、
前記抽出部は、前記特定部により特定された現在時刻に応じた前記第１のコンテンツを抽出する
ことを特徴とする請求項４または５に記載の配信装置。
【請求項７】
前記抽出部は、前記ユーザに配信された第１のコンテンツに対する評価結果であって、当該第１のコンテンツによって示される場所に前記ユーザが訪問したか否かに応じて評価された評価結果に基づいて、前記取得部により取得された位置情報に関連するコンテンツである第１のコンテンツを抽出する
ことを特徴とする請求項１〜６のいずれか１つに記載の配信装置。
【請求項８】
前記ユーザに配信された第１のコンテンツのうち前記ユーザによって所定の登録処理が行われた第１のコンテンツが示す場所の近辺に、前記ユーザが位置した場合に、前記ユーザに所定の通知を行う通知部をさらに有する
ことを特徴とする請求項１〜７のいずれか１つに記載の配信装置。
【請求項９】
前記抽出部は、前記第１のコンテンツとともに表示されるコンテンツであって現在時期に関連するコンテンツである第２のコンテンツを抽出し、
前記配信部は、前記第２のコンテンツが前記第１のコンテンツとともに表示されるように配信する
ことを特徴とする請求項１〜８のいずれか１つに記載の配信装置。
【請求項１０】
前記配信部は、前記第２のコンテンツがユーザに選択された場合に、前記第２のコンテンツに関連するコンテンツであって当該ユーザの現在位置に関連する情報を含むコンテンツである関連コンテンツを配信する
ことを特徴とする請求項９に記載の配信装置。
【請求項１１】
コンピュータが実行する配信方法であって、
ユーザの現在位置を示す位置情報を取得する取得工程と、
前記取得工程により取得された位置情報に関連するコンテンツであって現在時期に関連するコンテンツである第１のコンテンツを抽出する抽出工程と、
前記抽出工程により抽出された第１のコンテンツを前記ユーザに配信する配信工程と
を含み、
前記抽出工程は、前記取得工程により取得された位置情報に基づき前記ユーザの現在位置周辺の周辺状況として、現在の交通状況が特定された場合に、インターネット上で使用された検索クエリの履歴情報において、過去において現在時期と同時期に使用された検索クエリの使用回数または使用頻度に基づき特定された検索クエリに対応する前記第１のコンテンツのうち、前記現在の交通状況に起因する前記ユーザの待ち時間に、前記ユーザが利用可能な施設、または、イベントに関する前記第１のコンテンツを抽出する
ことを特徴とする配信方法。
【請求項１２】
ユーザの現在位置を示す位置情報を取得する取得手順と、
前記取得手順により取得された位置情報に関連するコンテンツであって現在時期に関連するコンテンツである第１のコンテンツを抽出する抽出手順と、
前記抽出手順により抽出された第１のコンテンツを前記ユーザに配信する配信手順と
を有し、
前記抽出手順は、前記取得手順により取得された位置情報に基づき前記ユーザの現在位置周辺の周辺状況として、現在の交通状況が特定された場合に、インターネット上で使用された検索クエリの履歴情報において、過去において現在時期と同時期に使用された検索クエリの使用回数または使用頻度に基づき特定された検索クエリに対応する前記第１のコンテンツのうち、前記現在の交通状況に起因する前記ユーザの待ち時間に、前記ユーザが利用可能な施設、または、イベントに関する前記第１のコンテンツを抽出する
ことを特徴とする配信プログラム。